(57)【要約】【課題】コネクタ接続の作業を効率良く行うことが可能な遊技機の提供を目的とする。【解決手段】本発明のパチンコ遊技機１０は、パチンコ遊技機１０の前面上部に重なる第１位置に配置され、発光してパチンコ遊技機１０を装飾する上部装飾部材４５と、上部装飾部材４５を第１位置からその斜め前上方の第２位置へと移動可能に支持するマルチリンク機構７０と、上部装飾部材４５とパチンコ遊技機１０とに設けられ、第１方向で互いに嵌合する１対のコネクタ３９，５４と、を有する。マルチリンク機構７０は、上部装飾部材４５を第１位置から途中位置まで１対のコネクタ３９，５４が分離する第１方向に移動するように支持し、途中位置から第２位置まで第１方向と異なる方向に上部装飾部材４５を移動するように支持する。【選択図】図１７
2020146540.tif 000002
【特許請求の範囲】
【請求項１】
遊技機の前面上部に重なる第１位置に配置され、発光して遊技機を装飾する前面装飾体と、
前記前面装飾体を前記第１位置からその斜め前上方の第２位置へと移動可能に支持する装飾体支持部と、を備える遊技機において、
前記前面装飾体と前記遊技機とに固定され、第１方向で互いに嵌合する１対のコネクタが備えられ、
前記装飾体支持部は、前記前面装飾体を前記第１位置から途中位置まで前記１対のコネクタが分離する前記第１方向に移動するように支持し、且つ、前記途中位置から前記第２位置まで前記第１方向と異なる方向に前記前面装飾体を移動するよう支持する遊技機。
【請求項２】
前記１対のコネクタは、前記前面装飾体の後面と、前記遊技機の前面とに固定され、前記第１方向としての前後方向で互いに嵌合し、
前記装飾体支持部は、前記第１位置から前記途中位置まで前記前面装飾体を水平前方に移動させる請求項１に記載の遊技機。
【請求項３】
前記装飾体支持部は、前記前面装飾体を前記途中位置から前記第２位置に移動させる間に前記前面装飾体を旋回させて前記前面装飾体の後面を下向きにする請求項１又は２に記載の遊技機。
【請求項４】
前記１対のコネクタは、ドロワーコネクタである請求項１から３の何れか１の請求項に記載の遊技機。
【発明の詳細な説明】
【技術分野】
【０００１】
本発明は、可動状態に連結された１対の部材の間で１対のコネクタが接続される遊技機に関する。
【背景技術】
【０００２】
従来、この種の遊技機として、例えば、第１の部材としての支持枠に備えたハーネスの末端と、その支持枠にヒンジ連結された第２の部材として前面カバーに備えたハーネスの末端とに１対のコネクタを備えたものが知られている（例えば、特許文献１参照）。そして、この遊技機では、前面カバーを開き、その前面カバーと支持枠とからそれぞれハーネスを引き出した状態にしてコネクタ同士を結合していた。
【先行技術文献】
【特許文献】
【０００３】
【特許文献１】特開２０１２−０２４３７７号公報（段落［００５５］及び図７）
【発明の概要】
【発明が解決しようとする課題】
【０００４】
しかしながら、従来の遊技機の構造では、前面カバーを開いてからコネクタを結合し、その後、前面カバーを閉じるという手間がかかる作業を強いられる。これに鑑み、本発明では、コネクタ接続の作業を効率良く行うことが可能な遊技機の提供を目的とする。
【課題を解決するための手段】
【０００５】
上記目的を達成するためになされた請求項１の発明は、遊技機の前面上部に重なる第１位置に配置され、発光して遊技機を装飾する前面装飾体と、前記前面装飾体を前記第１位置からその斜め前上方の第２位置へと移動可能に支持する装飾体支持部と、を備える遊技機において、前記前面装飾体と前記遊技機とに固定され、第１方向で互いに嵌合する１対のコネクタが備えられ、前記装飾体支持部は、前記前面装飾体を前記第１位置から途中位置まで前記１対のコネクタが分離する前記第１方向に移動するように支持し、且つ、前記途中位置から前記第２位置まで前記第１方向と異なる方向に前記前面装飾体を移動するよう支持する遊技機である。
【図面の簡単な説明】
【０００６】
【図１】本発明の第１実施形態に係るパチンコ遊技機の正面図
【図２】パチンコ遊技機の前面扉を開いた状態の斜視図
【図３】パチンコ遊技機の分解斜視図
【図４】外枠の斜視図
【図５】前面枠の斜視図
【図６】前面枠の左上部と左下部の斜視図
【図７】ロック機構の左側の側面図
【図８】Ｕ形レバーの側面図
【図９】前面枠の右上部の斜視図
【図１０】パチンコ遊技機の前面扉を開いた状態の一部拡大斜視図
【図１１】遊技盤の斜視図
【図１２】遊技盤の正面図
【図１３】前面扉を外した状態のパチンコ遊技機の正面図
【図１４】ブラケットの右側端部の斜視図
【図１５】前面扉の前側斜視図
【図１６】前面扉の後側斜視図
【図１７】メイン前面扉とサブ前面扉とに分離された前面扉の前側斜視図
【図１８】サブ前面扉の後側斜視図
【図１９】サブ前面扉の背面図
【図２０】（Ａ）原点位置のサブ前面扉の側面図，（Ｂ）退避位置のサブ前面扉の側面図
【図２１】メイン前面扉の上端部の前側斜視図
【図２２】（Ａ）ブリッジ部の中央の斜視図，（Ｂ）ブリッジ部の側部の斜視図
【図２３】結合ブロックの斜視図
【図２４】結合ブロックの非結合状態の平断面図
【図２５】結合ブロックの結合状態の平断面図
【図２６】サブ前面扉の一部拡大の背面図
【図２７】前面扉の側断面図
【図２８】図２６のＡ−Ａ切断面における前面扉の側断面図
【図２９】前面扉の一部の分解斜視図
【図３０】前面扉の一部拡大平断面図
【図３１】前面扉の一部拡大平断面図
【図３２】遊技盤とサブ前面扉の斜視図
【図３３】遊技盤にサブ前面扉が組み付けられたアッシ状態の正面図
【図３４】図２６のＢ−Ｂ切断面における前面扉の側断面図
【図３５】仮係止ブロックの平断面図
【図３６】仮係止状態の仮係止ブロックの平断面図
【図３７】仮係止が解除された状態の仮係止ブロックの平断面図
【図３８】メイン前面扉が開き、サブ前面扉が閉じた状態のパチンコ遊技機の斜視図
【図３９】図２６のＣ−Ｃ切断面における前面扉の側断面図
【図４０】原点位置のマルチリンク機構の斜視図
【図４１】退避位置のマルチリンク機構の斜視図
【図４２】マルチリンク機構の分解斜視図
【図４３】退避位置のマルチリンク機構の側面図
【図４４】ロック状態のマルチリンク機構の側面図
【図４５】ロック解除状態のマルチリンク機構の側面図
【図４６】ロックスライダー、第２リンク等の斜視図
【図４７】係合バネ及び第２支持部材の斜視図
【図４８】遊技盤の正面図
【図４９】遊技盤の正面図
【図５０】パチンコ遊技機の正面図
【図５１】第２実施形態に係るパチンコ遊技機の正面図
【図５２】前面枠の斜視図
【図５３】遊技盤の斜視図
【図５４】変形例に係るマルチリンク機構の側面図
【図５５】変形例に係るマルチリンク機構の側面図
【発明を実施するための形態】
【０００７】
［第１実施形態］
以下、本発明を適用したパチンコ遊技機１０に係る一実施形態を図１〜図５０に基づいて説明する。以下の説明においてパチンコ遊技機１０のうち遊技者に近い側を「前側」、その反対側を「後側」といい、パチンコ遊技機１０のうち、その前側から対峙した遊技者にとっての「右側」及び「左側」を単に「右側」及び「左側」ということとする。
【０００８】
図２に示すように、パチンコ遊技機１０は、遊技盤１１Ｚと、遊技盤１１Ｚを支持する支持枠１２と、その支持枠１２の前面を覆う前面扉３０とから構成されている。また、図３に示すように、支持枠１２は、外枠１３と前面枠１４とからなる。
【０００９】
＜外枠について＞
外枠１３は、図４に拡大して示されており、複数の長板を縦長矩形状に接合してなる枠本体１３Ａの下辺部の上に、横長の筐体部１３Ｂを重ねて固定して枠本体１３Ａより前側に段付き状に突出させた構造をなしている。また、筐体部１３Ｂの上面からは、位置決突部１３Ｃが突出している。さらに、外枠１３の左側辺部における上端位置と下端寄り位置とから、ヒンジ突部１３Ｈ，１３Ｈが前方に張り出している。
【００１０】
なお、枠本体１３Ａの上辺部と下辺部は、例えば木板で構成される一方、両側辺はアルミ板で構成され、Ｌ形接続金具１３Ｌが、枠本体１３Ａの上側の両角部の外面に宛がわれて上辺部の木片と両側部のアルミ板とを接続している。そして、左側上部のＬ形接続金具１３Ｌの縦横の両辺が、枠本体１３Ａの前方に延長されかつ、途中から横辺のみが片持ち梁状に延長されて上記した上側のヒンジ突部１３Ｈになっている。一方、下側のヒンジ突部１３Ｈは、筐体部１３Ｂの上面に重ねて固定され、前方に片持ち梁状に突出している。そして、上側のヒンジ突部１３Ｈから下方にヒンジピン１３Ｐが突出する一方、下側のヒンジ突部１３Ｈから上方にヒンジピン１３Ｐが突出して、それら上下のヒンジピン１３Ｐ，１３Ｐが同軸上に配置されている。
【００１１】
＜前面枠について＞
図５に示すように、前面枠１４は、縦長の矩形状をなし、その外縁部が図２に示すように外枠１３の上辺部及び両側辺部及び位置決突部１３Ｃ（図４参照）の各前面に重ねられる。図５に示すように、前面枠１４の上側略３／４を占める範囲は、縦長略矩形の枠構造をなしている。その枠構造の開口部１４Ｗ（以下、「枠開口部１４Ｗ」という）の内面後端部には位置決突壁１４Ｖが設けられ、さらには、前面が開口した箱形のケース部１４Ｅが位置決突壁１４Ｖの後面に取り付けられて枠開口部１４Ｗ全体を後方から覆っている。なお、ケース部１４Ｅは、外枠１３の後方まで突出している（図２参照）。
【００１２】
図５に示すように、前面枠１４の左側辺の上下方向の両端からは、ヒンジ突部１４Ｈ，１４Ｈが前方に張り出し、上端寄り位置からは、中間ヒンジ片１４Ｌが前方に張り出している。図６の上側に示すように、上端のヒンジ突部１４Ｈは、前面枠１４から前方に張り出した板金製の突片１４Ａの両側辺から垂下部１４Ｂ，１４Ｃを下方に折り曲げ、さらに、一方の垂下部１４Ｃの下端から下辺部１４Ｄを水平方向に折り曲げた角筒構造をなしている。そして、ピン孔１４Ｐが突片１４Ａと下辺部１４Ｄとに貫通形成されると共に、それらピン孔１４Ｐには、ヒンジ突部１４Ｈの側方に開放しかつ屈曲したピン導入溝１４Ｒが連通している。そして、外枠１３の上端のヒンジ突部１３Ｈのヒンジピン１３Ｐ（図４参照）が、ピン導入溝１４Ｒからピン孔１４Ｐに導入されてヒンジ突部１３Ｈ，１４Ｈ同士が回動可能に連結されている。
【００１３】
図６の下側に示すように、前面枠１４の下端のヒンジ突部１４Ｈは、片持ち梁状の２つの突片を隙間を空けて上下に並べてなり、それら２つの突片にピン孔１４Ｐが貫通形成されている。そして、それらピン孔１４Ｐに、外枠１３のヒンジピン１３Ｐ（図４参照）が挿通されて、ヒンジ突部１３Ｈ，１４Ｈ同士が回動可能に連結されている。また、そのヒンジピン１３Ｐは、前面枠１４の下端のヒンジ突部１４Ｈより上側に突出している（図１３参照）。
【００１４】
図６の上側に示すように、前面枠１４の上端寄りの中間ヒンジ片１４Ｌは、前面枠１４の前面に固定されたＬ字形板金部品の横片によって構成されて、その先端部には、上下のヒンジ突部１４Ｈのピン孔１４Ｐの同軸上にピン孔１４Ｐが形成されている。
【００１５】
なお、図５に示すように、前面枠１４の後面右角部からは、後方に向かって樹脂製のガイドバー１４Ｓが延び、そのガイドバー１４Ｓの下面には、後端に向かって上るように傾斜したガイド面が備えられている。これに対し、図４に示すように、外枠１３の下辺部上面の右端部には、前後に延びた金属製の摺動ガイド板１３Ｓが敷設され、その摺動ガイド板１３Ｓの前端部は、下方に向かって湾曲している。そして、前面枠１４を、外枠１３の前方位置から外枠１３側に向けて回動すると、ガイドバー１４Ｓが摺動ガイド板１３Ｓに乗り上がって前面枠１４が外枠１３の正規位置にスムーズに案内される。
【００１６】
図５に示すように、前面枠１４の右側辺にはロック機構１５が備えられている。図７に示すように、ロック機構１５は、上側から順番に第１係止部材１５Ｂと第２係止部材１５Ｃとを交互に並べて備え、各第１係止部材１５Ｂから前方（図７の右側）に係合片１５Ｘが突出する一方、各第２係止部材１５Ｃから後方（図７の左側）に係合片１５Ｙが突出している。また、第１係止部材１５Ｂの係合片１５Ｘは、先端部から下方に係止突部が突出した矢尻形状をなす一方、第２係止部材１５Ｃの係合片１５Ｙは、先端部から上方に係止突部が突出した矢尻形状をなしている。さらには、図示しない弾性部材により第１係止部材１５Ｂが下方に付勢される一方、第２係止部材１５Ｃが上方に付勢されている。そして、第１係止部材１５Ｂの係合片１５Ｘが前面扉３０の被係止部３０Ｙ（図１６参照）に係合して、前面枠１４に対する前面扉３０の回動が規制されると共に、第２係止部材１５Ｃの係合片１５Ｙが、外枠１３の図示しない被係止部に係合して、外枠１３に対する前面枠１４の回動が規制される。
【００１７】
また、図２に示すように、前面枠１４の前面の右下端寄り位置には、錠装置１５Ｋ（所謂、シリンダーキー）が備えられ、前面扉３０に備えた切欠部３０Ｋを通してパチンコ遊技機１０の前面に露出している。そして、錠装置１５Ｋの前面の鍵穴１５Ｒに図示しない鍵を挿入して反時計回り方向に回すと、第１係止部材１５Ｂのみが上方に移動して、係合片１５Ｘと被係止部３０Ｙ（図１６参照）との係合が解除され、前面枠１４に対する前面扉３０の回動が可能になる。一方、鍵を時計回り方向に回すと第２係止部材１５Ｃのみが下方に移動して、係合片１５Ｙと被係止部（図示せず）との係合が解除され、外枠１３に対する前面枠１４の回動が可能になる。
【００１８】
＜前面枠における遊技盤の支持部位について＞
図５に示すように、枠開口部１４Ｗの開口縁には、遊技盤１１Ｚを支持するための係合突部１４Ｔ、回動ロック１４Ｋ、Ｕ形レバー１６Ｕが設けられている。遊技盤１１Ｚは、遊技盤本体１１に複数の部品を組み付けてなる。遊技盤本体１１は、後に詳説するが、図１１に示すように、略四角形の平板状になっている。その遊技盤本体１１の左側縁部を係合突部１４Ｔと位置決突壁１４Ｖとの間で挟んで支持するために、係合突部１４Ｔは、図５に示すように枠開口部１４Ｗの左内面の前端部における上端寄り位置と下端寄り位置とから突出している。また、これら係合突部１４Ｔ，１４Ｔの後面は、枠開口部１４Ｗの左内面から離れるに従って前側に向かうように僅かに傾斜している。そして、遊技盤本体１１の左側部が右側部より後側にずらされた状態で、係合突部１４Ｔ，１４Ｔと位置決突壁１４Ｖとの間に差し込まれてから、遊技盤本体１１の右側縁部を後方に移動されて位置決突壁１４Ｖ全体に遊技盤本体１１の外縁部が宛がわれる。
【００１９】
なお、遊技盤本体１１を枠開口部１４Ｗにスムーズに嵌合するために、枠開口部１４Ｗの下辺の内面には、前後方向に延びた複数の摺接突条１４Ｘが形成されている。また、枠開口部１４Ｗの位置決突壁１４Ｖからは、前方に向かって位置決めピン１４Ｙが突出していて、遊技盤本体１１に形成された図示しない位置決め孔が嵌合するようになっている。
【００２０】
回動ロック１４Ｋは、枠開口部１４Ｗの右上角部の前面に回動可能に取り付けられ、遊技盤本体１１の前面に重なるロック位置（図１３参照）と、遊技盤本体１１の前面から退避したロック解除位置（図９参照）とに回動操作される。
【００２１】
枠開口部１４Ｗの下辺部の右端寄り位置には凹部１６が形成され、図８に示すように、Ｕ形レバー１６Ｕの下辺部分が凹部１６内で回動可能に支持されている。Ｕ形レバー１６Ｕの１対の対向辺は、枠開口部１４Ｗの下辺部より上側に位置して前後方向で対峙し、それら対向辺の間に遊技盤本体１１の右下端部が受容されている。また、後側の対向片は、前側の対向片より低くかつ上端部が丸みを帯びた形状をなしている。
【００２２】
また、図８において符号１６Ｌは、ロックレバーであって、コイルバネ１６ＳによってＵ形レバー１６Ｕの回動を規制するロック位置に付勢されている。そのロックレバー１６Ｌの一部は、Ｕ形レバー１６Ｕの下端部より前方に突出し、Ｕ形レバー１６Ｕから前方に突出した操作片１６Ｈに対して下方から対向している。そして、ロックレバー１６Ｌと操作片１６Ｈとを接近させるように摘むことで、ロックレバー１６Ｌによる回動規制が解除されてＵ形レバー１６Ｕを前側に回動し、Ｕ形レバー１６Ｕの後側の対向辺によって遊技盤本体１１が前に押される。このとき、回動ロック１４Ｋがロック解除位置に配置されていれば、遊技盤本体１１の右側縁部全体が位置決突壁１４Ｖの前方にずれる。そして、遊技盤本体１１を位置決突壁１４Ｖと係合突部１４Ｔとの間から引き抜くことができる。
【００２３】
＜遊技盤について＞
遊技盤１１Ｚの主体部である遊技盤本体１１は、透明なアクリル製であって、図１１に示すように、前述の通り略四角形で平板状をなしている。遊技盤本体１１の前面には、一般的なパチンコ遊技機と同様に、ガイドレール１１Ｇに囲まれた遊技領域Ｒ１が設けられ、その遊技領域Ｒ１内に表示窓１１Ｗ（図１２参照）が貫通形成されると共に、複数の入賞口、役物、障害釘等が備えられている。また、遊技盤本体１１の後面には、一般的なパチンコ遊技機と同様に、表示窓１１Ｗ（図１２参照）を後方から覆うように図示しない液晶表示装置が取り付けられ、その液晶表示装置の後面側に制御基板が取り付けられている。さらに、遊技盤本体１１の後面には、外縁部を除く全体を覆うように基板後面ケース１１Ｂが取り付けられ、その基板後面ケース１１Ｂの後面には、図示しない制御基板が取り付けられている。
【００２４】
遊技盤本体１１には、右上角部を横長の長方形に切り欠いて右上切欠部１１Ａが形成されている。これに対応して、前面枠１４における枠開口部１４Ｗの右上内側角部からは、横長の長方形のコーナー突部１４Ｍ（図１３参照）が張り出していて、そのコーナー突部１４Ｍの前面に前記した回動ロック１４Ｋが回動可能に取り付けられている。
【００２５】
また、図１２に示すように、遊技盤本体１１には、左上角部を台形状に切り欠いて左上切欠部１１Ｃが形成されている。これに対応して、前面枠１４における枠開口部１４Ｗの左上内側角部からは、図示しない台形状のコーナー突部が張り出している。さらに、図１１に示すように、遊技盤本体１１には、前面の左辺側縁部の２箇所を段付き状に陥没させて係合凹部１１Ｕ，１１Ｕが形成され、ここに係合突部１４Ｔ，１４Ｔが係合している。
【００２６】
＜遊技盤に固定のブラケットについて＞
遊技盤本体１１の上部には、ブラケット５０が固定されている。ブラケット５０は、板金製であって、図１１に示すように、横長のフロントベース５０Ａと、そのフロントベース５０Ａの左端部に延設されたヒンジ構成部５０Ｘとを備えてなる。フロントベース５０Ａは、遊技盤本体１１の前面と略平行な板状をなし、その横方向の全長は、遊技盤本体１１のうち右上切欠部１１Ａと左上切欠部１１Ｃとに挟まれた上端部と略同一になっている。
【００２７】
フロントベース５０Ａの左右の両端部には、１対の固定部５０Ｄ，５０Ｄが設けられている。固定部５０Ｄ，５０Ｄは、フロントベース５０Ａの下縁部から後方に直角曲げされてから下方に直角曲げされたクランク形状をなし、各固定部５０Ｄの下側平板部が遊技盤本体１１の上端部の前面に重ねられて、後面に重ねられた図示しない板金製の補強板との間に遊技盤本体１１を挟んでボルトで固定されている。これにより、フロントベース５０Ａが、遊技盤本体１１の上斜め前方位置に配置されている。
【００２８】
より詳細には、互いに重ねられる遊技盤本体１１及び固定部５０Ｄの下側平板部に複数の図示しない貫通孔が形成されている。遊技盤本体１１の各貫通孔は、前端側が縮径されている。また、それら貫通孔と同じ間隔で補強板に複数の圧入孔が形成されている。さらに、円筒状の複数のナットの後端部が、補強板の複数の圧入孔に圧入されている。ここで、各ナットの後端寄り位置にフランジが備えられ、各フランジより補強板への圧入量が一定に揃えられている。そして、遊技盤本体１１の複数の貫通孔内に後側からナットが挿入され、固定部５０Ｄの下側平板部の貫通孔に前側から挿通したボルトがナットに締め付けられ、遊技盤本体１１にフロントベース５０Ａが固定されている。
【００２９】
なお、遊技盤本体１１には、補強板が重ねられる部分に複数の支柱部が形成されて、それら支柱部の中心に貫通孔が形成され、フランジが支柱部の端面に重ねられている。また、遊技盤本体１１のうち複数の支柱部の近傍には、支柱部よりフランジの厚さ分だけ高いリブが形成され、そのリブの先端面に補強板が当接している。
【００３０】
図１４に示すように、フロントベース５０Ａの上縁部には、前方に直角曲げされた補強用の突条５０Ｅが形成されている。さらには、図１２に示すように、フロントベース５０Ａの下縁部のうち両端部を除いた全体は台形状に切除され、その台形の上辺に相当する部分には、フロントベース５０Ａの縁部を後方に直角曲げしてなる補強用の突条５０Ｅが形成されている。
【００３１】
図１４に示すように、フロントベース５０Ａの右端部には、横長矩形の突起受容孔５０Ｋが形成され、その突起受容孔５０Ｋの左側方に仮止突部５２が隣接配置されている。仮止突部５２は、右側面が開放した箱形になっていて、仮止突部５２から側方に張り出したベース部５２Ｃがフロントベース５０Ａの前面に重ねて固定されている。なお、仮止突部５２の上下の両側壁の後端寄り位置からは１対の当接突片５２Ｅ，５２Ｅが延設されて突起受容孔５０Ｋの上下の縁部に沿って延びている。また、図９に示すように、前面枠１４の前面には、フロントベース５０Ａの突起受容孔５０Ｋに対応して解除突起１７が設けられている。解除突起１７は、平面形状が略直角三角形状をなし、解除突起１７の左側面１７Ａは前後方向に対して平行に配置され、解除突起１７の右側面は、前方に向かうにつれて左側面１７Ａに近づくように傾斜した傾斜面１７Ｂになっている。そして、前面枠１４に遊技盤１１Ｚが取り付けられると、解除突起１７が突起受容孔５０Ｋを貫通して仮止突部５２の右隣に隣接した状態になる。
【００３２】
図１１に示すように、ヒンジ構成部５０Ｘは、四角形のベース部５０Ｂの上縁部と下縁部とからヒンジ片５０Ｈ，５０Ｈを前方に曲げ起こし、それらヒンジ片５０Ｈ，５０Ｈの間に支持シャフト５１を差し渡した構造をなしている。そして、図１３に示すように、遊技盤１１Ｚが前面枠１４に支持された状態で、ヒンジ構成部５０Ｘが前面枠１４における上端のヒンジ突部１４Ｈと中間ヒンジ片１４Ｌとの間に収まり、支持シャフト５１が、前面枠１４の回動中心の同軸上に配置される。
【００３３】
詳細には、図１２に示すように、ベース部５０Ｂは、フロントベース５０Ａより上下に大きくなっていて、ベース部５０Ｂの右上部とフロントベース５０Ａの左下部とが連続している。また、ベース部５０Ｂの前面とフロントベース５０Ａの左端部の前面とに跨がって補強盤６３が重ねて固定されると共に、図１１に示すように、補強盤６３には後方にクランク状に屈曲した脚部６３Ｃが備えられ、その脚部６３Ｃの後端部が左端部の固定部５０Ｄの前面に重ねて固定されている。さらには、補強盤６３の左側縁部から前方にカバー突壁５０Ｌが直角曲げされていて、ヒンジ片５０Ｈ，５０Ｈとの間の空間を左側方から覆っている。また、補強盤６３のうちベース部５０Ｂに重ねられた部分には、縦長四角形のレバー受容部６３Ｂが形成されている。また、ヒンジ片５０Ｈ，５０Ｈの左側端部は、山形になって前方に突出しており、それら突出部分に支持シャフト５１の両端部が固定されている。
【００３４】
ベース部５０Ｂの後面には、樹脂製の背面盤６４が固定され、その背面盤６４の下端部がベース部５０Ｂの下方に突出している。その背面盤６４の下端部は、図１０に示すように、前面が開口した溝形構造の中間係合溝６４Ｍになっていて、ヒンジ構成部５０Ｘの右下角部に沿うように僅かに湾曲している。これに対し、前面扉３０の後面（詳細には、後述する分割面３０Ｇ部分）からは、係合突部８０が突出している。そして、前面扉３０を、前面枠１４の前方位置から前面枠１４側に向けて回動すると、係合突部８０が中間係合溝６４Ｍに乗り上がって前面扉３０が前面枠１４の正規位置にスムーズに案内される。
【００３５】
＜前面扉全体について＞
図１に示すように、前面扉３０は、前方から見ると支持枠１２の前面枠１４の前面全体を覆う縦長の矩形状をなし、その下端寄り位置から上端寄り位置に亘る範囲に窓部３０Ｗが設けられている。図１６に示すように、窓部３０Ｗは、透光板３２Ａ（例えば、硝子板又はアクリル板）の外縁全周に支持枠３２Ｂを固定してなる窓板部材３２を、前面扉３０に形成された前面開口３２Ｆに後方から嵌合している。そして、前面開口３２Ｆの下側開口縁に備えた係合部３２Ｇに、支持枠３２Ｂから張り出した固定フランジ３２Ｃが係合されると共に、前面開口３２Ｆの上側開口縁に回動可能に支持された１対の支持レバー３２Ｈ，３２Ｈ（図１０参照）が、固定フランジ３２Ｃの上部に係合されている。これにより、窓板部材３２を着脱することができ、例えば、遊技盤１１Ｚの種類に応じて窓板部材３２を別の形状のものに交換するができる。
【００３６】
図１５に示すように、前面扉３０は、前面を前面装飾部材３４で覆われている。その前面装飾部材３４のうち窓部３０Ｗより下側部分には、上皿３０Ｕ及び下皿３０Ｄが上下２段にして設けられている。なお、前面装飾部材３４ではないが、下皿３０Ｄの右側には、遊技球を遊技領域Ｒ１に向けて弾き出すための操作ノブ３０Ｓが備えられ、下皿３０Ｄの左側には、演出用ハンドル３０Ｈが設けられている。また、前面装飾部材３４のうち窓部３０Ｗの下辺部より上側部分は、透光性の装飾カバーの内部に図示しない電飾基板を収容してなる。
【００３７】
＜前面扉の分割について＞
図１６に示すように、前面扉３０は、窓部３０Ｗを有するメイン前面扉３１と、そのメイン前面扉３１より上側のサブ前面扉４０とに分割されている。具体的には、前面扉３０のうち前面装飾部材３４を除く全体を扉主体部３０Ａということとすると、扉主体部３０Ａは、窓部３０Ｗより上側を横切る分割面３０Ｇによってメイン扉主体盤５５とサブ扉主体盤５６とに分割されている。その分割面３０Ｇは、窓部３０Ｗの上部の形状に沿って上方に膨らむように湾曲している。詳細には、分割面３０Ｇは、扉主体部３０Ａの横方向の中央で水平横方向に延びてから、窓部３０Ｗの湾曲に沿って斜め下側方に緩やかに湾曲して延び、途中から水平になって扉主体部３０Ａの両側面に至っている。
【００３８】
図１５に示すように、前面装飾部材３４は、窓部３０Ｗの下辺部より上側部分が、窓部３０Ｗの両側方の側部装飾部材３５，３５と、窓部３０Ｗの上方の上部装飾部材４５とに分割されている。側部装飾部材３５，３５は、窓部３０Ｗの両側縁部に沿って細長くなって延び、それら側部装飾部材３５，３５の上部３５Ｔは、図１７に示すように側部装飾部材３５全体に比べて前方に張り出している。また、メイン前面扉３１の上面のうち横方向の両端部と側部装飾部材３５の上面とが略面一になっている。一方、上部装飾部材４５は、図１５に示すように、側部装飾部材３５や上皿３０Ｕより大きく前方に張り出し、下面における横方向の両端部が側部装飾部材３５，３５の上面に重なっている。さらには、上部装飾部材４５の下面における横方向の中間部は、窓部３０Ｗの上縁部を前方から覆っている。そして、前面装飾部材３４のうち上部装飾部材４５のみがサブ扉主体盤５６に組み付けられてサブ前面扉４０が構成され、上部装飾部材４５以外の側部装飾部材３５等がメイン扉主体盤５５に組み付けられてメイン前面扉３１が構成されている。
【００３９】
＜サブ前面扉について＞
サブ前面扉４０についてさらに詳細に説明する。図１８に示すように、サブ前面扉４０のサブ扉主体盤５６は、板金製の強度部５６Ｖの前面を樹脂カバー５６Ｕで覆ってなり、サブ扉主体盤５６全体は、横長の帯板の下縁中央部を湾曲させたアーチ形状をなしている。また、サブ扉主体盤５６の下面は、分割面３０Ｇ（図１６参照）の形状として説明したように、左右の両端部が水平な下面水平部５６Ａ，５６Ａをなし、それら下面水平部５６Ａ，５６Ａの間が上方に湾曲した下面湾曲部５６Ｗになっている。さらには、図２７に示すように、サブ扉主体盤５６の外縁部の略全体から前後に包囲壁５６Ｚを突出していて、サブ扉主体盤５６の前面側全体と後面側全体とがそれぞれ包囲壁５６Ｚによって囲まれている。
【００４０】
サブ前面扉４０の上部装飾部材４５は、装飾カバー９０の後端開口を、異形板状の装飾ベース盤４６で閉塞してなる。なお、サブ前面扉４０内の電飾基板は、装飾ベース盤４６の前面に固定されている。図１９に示すように、装飾ベース盤４６を後方から見た形状は、サブ扉主体盤５６のうち下面湾曲部５６Ｗに相当する部分に、下方に張り出した垂下突部４６Ｔを有する形状をなしてなる。具体的には、図１９に示すように、装飾ベース盤４６の下面には、横方向の両端部に水平部４６Ｌ，４６Ｒが備えられ、それら水平部４６Ｌ，４６Ｒから横方向の中央側に斜め下方に向かって１対の傾斜面４６Ｓ，４６Ｓが延び、さらに両傾斜面４６Ｓ，４６Ｓの間に、上方に膨らんだ湾曲下面４６Ｗが形成されている。これにより、装飾ベース盤４６は、横方向の中央から下方に略扇状の垂下突部４６Ｔが突出した形状をなしている。また、図１８に示すように、垂下突部４６Ｔの後面下縁部には、略扇形状の湾曲突部５３が取り付けられ、その湾曲突部５３とサブ扉主体盤５６との間に円弧状の収容溝部４０Ｘが形成されている。
【００４１】
装飾ベース盤４６は、前述のサブ扉主体盤５６と同様に図２７に示すように板金製の強度部４６Ｖの前面を樹脂カバー４６Ｕで覆ってなる。図示しないが強度部４６Ｖは、横方向の両寄り位置でクランク状に屈曲していて、それら屈曲部分より両側方部分が前側にオフセットしている。そして、図２７に示すように、装飾ベース盤４６のうち上記の如く前側にオフセットした部分の外縁部から後方に包囲壁４６Ｚが突出して、その包囲壁４６Ｚとクランク状の屈曲部とに囲まれた後面包囲部４６Ｅが形成され、装飾ベース盤４６のうち残りの部分の外縁部から前方に包囲壁４６Ｚが突出して、その包囲壁４６Ｚとクランク状の屈曲部とに囲まれた前面包囲部（図示せず）が形成されている。
【００４２】
なお、図２０（Ａ）に示すように、装飾カバー９０には、湾曲下面４６Ｗと同様に湾曲した湾曲下面９０Ｗが前端寄り位置まで形成されると共に、装飾カバー９０の前端部には、湾曲下面９０Ｗの左右の両端部の間を横切る平坦な下面９０Ａを有する下面前端突部９１が備えられている。
【００４３】
＜メイン前面扉とサブ前面扉との合体構造について＞
図２１に示すように、メイン前面扉３１のうち窓部３０Ｗより上側で１対の側部装飾部材３５，３５に挟まれた部分は、上方に膨らんだアーチ形状のブリッジ部３１Ｄになっている。ブリッジ部３１Ｄは、前面を上縁部カバー３１Ｋによって覆われて中空構造なすと共に、窓部３０Ｗの前面から突出している。そして、メイン前面扉３１とサブ前面扉４０とが合体すると、ブリッジ部３１Ｄが、サブ前面扉４０の収容溝部４０Ｘ（図１８参照）に受容される。これにより、メイン前面扉３１とサブ前面扉４０との間における遊技領域Ｒ１の上方の隙間がクランク状に屈曲した状態になり、その隙間から異物が侵入することや、ゴト行為（不正行為）が行われることを防ぐことができる。また、図２１にハッチングで示した窓部３０Ｗの上縁湾曲領域Ｒ２には、湾曲突部５３（図１８参照）が前方から宛がわれ、サブ前面扉４０によって遊技者が視認可能な窓部３０Ｗの範囲が限定される。なお、ブリッジ部３１Ｄの上面には、前後方向に延びた複数の摺接突条３１Ｒ（図２１参照）が形成されてサブ前面扉４０がスムーズに乗り上がるようになっている。
【００４４】
＜メイン前面扉及びサブ前面扉のコネクタについて＞
ブリッジ部３１Ｄの前面中央には、第１コネクタ３９が設けられ、サブ前面扉４０に備えた第２コネクタ５４（図１９参照）と結合される。第１コネクタ３９は、図２２（Ａ）に示すように、断面が横長矩形の角筒状のフード部３９Ａの内側に端子支持片３９Ｂを備えると共に、フード部３９Ａから側方に図示しないフランジ部が張り出した形状をなし、端子支持片３９Ｂの上下の両面に複数の端子金具が並べて備えられている。そして、フード部３９Ａから側方に張り出したフランジ部（図示せず）がブリッジ部３１Ｄに形成された貫通孔３９Ｕの奥側に螺子止めされ、フード部３９Ａの先端部が、貫通孔３９Ｕを通してブリッジ部３１Ｄの前方に突出している。このように、第１コネクタ３９を取り付ける螺子がブリッジ部３１Ｄの内部（即ち、貫通孔３９Ｕを開口とする凹部の奥面）に取り付けられているので、螺子が異物に衝突して緩むことが防がれる。しかも、螺子は、ブリッジ部３１Ｄの開口縁によって前方から覆われているので、より確実に異物が螺子に当接することが防がれる。
【００４５】
また、第１コネクタ３９の端子金具は、側部装飾部材３５内の電飾基板の上端部からブリッジ部３１Ｄ内に延びたハーネスの末端に接続されている。さらに、図示しないが、側部装飾部材３５内の電飾基板の下端部からもハーネスが延びていて、メイン前面扉３１の後面左下部から後方に引き出されている。そして、遊技盤１１Ｚの後部の制御基板から下方に引き延ばされたハーネスが前面枠１４の左下部の前面側に引き延ばされ、メイン前面扉３１の左下部のハーネスにコネクタ接続されるようになっている。
【００４６】
これに対し、第２コネクタ５４は、図１９に示すように横長の端子支持ブロック５４Ａからフランジ部５４Ｆを側方に張り出した形状をなし、装飾ベース盤４６の後面に形成された凹部５４Ｕの奥部にフランジ部５４Ｆが螺子止めされて、端子支持ブロック５４Ａの一部が装飾ベース盤４６より後方に突出している。ここで、フランジ部５４Ｆの螺子孔と螺子との間に所定のクリアランスが設けられていて、そのクリアランスの範囲で第２コネクタ５４が、上下及び左右に直動可能であると共に、僅かに傾動可能になっている。また、端子支持ブロック５４Ａには、その前面から基端部に亘って、横長の受容溝５４Ｂが形成され、その受容溝５４Ｂの上下の内面に図示しない複数の端子金具が並べて備えられている。また、第２コネクタ５４の端子金具は、上部装飾部材４５内の電飾基板から延びたハーネスの末端に接続されている。そして、メイン前面扉３１とサブ前面扉４０とが合体すると、第２コネクタ５４の端子支持ブロック５４Ａが、第１コネクタ３９のフード部３９Ａ内に挿入されて受容溝５４Ｂに端子支持片３９Ｂが受容され、端子金具同士が接続される。ここで、第１及び第２のコネクタ３９，５４は、ドロワーコネクタであるので、第１及び第２のコネクタ３９，５４同士の位置ズレを吸収してスムーズなコネクタ接続が可能になる。また、第１及び第２のコネクタ３９，５４を固定する螺子は、メイン前面扉３１及びサブ前面扉４０の凹部内に配置されて異物との衝突を防がれているが、第１及び第２のコネクタ３９，５４の先端部は凹部から外側に突出しているので、ドロワーコネクタである第１及び第２のコネクタ３９，５４同士を確実に摺接させることができる。その上、第２コネクタ５４は、サブ前面扉４０に上下左右への直動と傾動とが許容されているので、このことによってもスムーズなコネクタ接続が可能になる。
【００４７】
＜メイン前面扉とサブ前面扉との合体ロック構造について＞
図２１に示すように、ブリッジ部３１Ｄにおける左右の両端寄り位置には、１対の結合ブロック３３，３３が左右対称に備えられ、それら結合ブロック３３，３３が、収容溝部４０Ｘの奥面に形成されたロック孔４６Ｍ，４６Ｍに係合してメイン前面扉３１とサブ前面扉４０とが合体状態にロックされる。それらロック孔４６Ｍ，４６Ｍは、図１９に示すように、装飾ベース盤４６を貫通する長方形の貫通孔であって、側方に向かって下るように傾斜して延びている。
【００４８】
これに対し、図２１に示すように、ブリッジ部３１Ｄの左右の両端寄り位置には、結合ブロック３３，３３を組み付けるために、側方に向かって下る方向に傾斜して延びた長方形のスライドガイド孔３７が形成されている。図２４に示すように、スライドガイド孔３７は、ブリッジ部３１Ｄの内部空間を挟んだ前後に形成され、前側のスライドガイド孔３７が、後側のスライドガイド孔３７より短く、上記したロック孔４６Ｍと概ね重なるように配置されている。
【００４９】
図２３には、結合ブロック３３の全体が示されている。結合ブロック３３はスライドガイド孔３７より縦横に大きな直方体状の本体部３３Ａを備え、その本体部３３Ａが図２４に示すようにブリッジ部３１Ｄ内に収容されると共に、本体部３３Ａの前面に備えた前面突部３３Ｂが前側のスライドガイド孔３７からブリッジ部３１Ｄの前方に突出する一方、本体部３３Ａの後面に備えた後面突部３３Ｃが後側のスライドガイド孔３７からブリッジ部３１Ｄの後方に突出している。そして、後面突部３３Ｃ及び前面突部３３Ｂと、スライドガイド孔３７の開口縁との当接によって、結合ブロック３３は、スライドガイド孔３７の長辺方向への往復移動のみを許容されている。なお、図２３〜図２５には、左側の結合ブロック３３が示され、図２２（Ｂ）には、右側の結合ブロック３３が示されている。
【００５０】
図２２（Ｂ）に示すように、前面突部３３Ｂのうち斜め下方を向いた側面の前端部からは連結片３３Ｆが突出している。そして、結合ブロック３３が可動方向の上端のロック解除位置に配置されると、図２４に示すように、連結片３３Ｆを含む前面突部３３Ｂ全体がロック孔４６Ｍに挿抜可能になり、前面突部３３Ｂをロック孔４６Ｍに挿入した状態で結合ブロック３３を可動方向の下端のロック位置に移動すると、図２５に示すように、連結片３３Ｆがロック孔４６Ｍにおける前側に係止して、サブ前面扉４０とメイン前面扉３１とが一体に固定される。
【００５１】
図２２（Ｂ）に示すように、上縁部カバー３１Ｋには、スライドガイド孔３７の開口縁に係止片３７Ａが形成されている。係止片３７Ａは、スライドガイド孔３７の１対の長辺に沿って上方に延長された１対のスリット３７Ｓ，３７Ｓの間に配置されている。また、図２４に示すように、係止片３７Ａは、基端部がクランク状に屈曲していて、係止片３７Ａ全体がブリッジ部３１Ｄの前面壁部より後側にずれている。さらに、係止片３７Ａの先端部からは、結合ブロック３３の本体部３３Ａに向かって係止突起３７Ｂが突出している。
【００５２】
これに対し、結合ブロック３３の本体部３３Ａには、図２４に示すように、前面突部３３Ｂの隣に係止溝３３Ｕが形成されると共に、横方向の一端部に係合斜面３３Ｋが形成されている。そして、結合ブロック３３が可動範囲の上端位置に移動したときに係止突起３７Ｂが係止溝３３Ｕと係合する一方、図２５に示すように、結合ブロック３３が可動範囲の下端位置に移動したときに係止突起３７Ｂが係合斜面３３Ｋに係合して、結合ブロック３３が可動範囲の両端部に係止される。
【００５３】
図２３に示すように、後面突部３３Ｃの後面からは干渉突片３３Ｄが突出している。また、その後面突部３３Ｃに対応して、図１２に示すように遊技盤１１Ｚの前面には、上端部に１対の干渉リブ１１Ｋ，１１Ｋが設けられている。そして、結合ブロック３３が可動範囲の上端位置に配置されていると、即ち、結合ブロック３３によってメイン前面扉３１とサブ前面扉４０とが合体状態にロックされていないと、干渉突片３３Ｄと干渉リブ１１Ｋとが干渉し、結合ブロック３３が可動範囲の下端位置に配置されていると、即ち、メイン前面扉３１とサブ前面扉４０とが合体状態にロックされていると、干渉突片３３Ｄと干渉リブ１１Ｋとが干渉しなくなる（図２５参照）。
【００５４】
＜メイン前面扉とサブ前面扉との位置決機構等について＞
図２１に示すように、ブリッジ部３１Ｄの前面には、各スライドガイド孔３７の斜め下方位置から位置決突部３６が突出している。図２２（Ｂ）に示すように、位置決突部３６は、上縁部カバー３１Ｋに一体形成された円柱体３６Ａの周面に複数の縦リブ３６Ｌを有する構造をなしている。また、図１９に示すように、装飾ベース盤４６には位置決突部３６に対して位置決孔４６Ｎが貫通形成され、メイン前面扉３１とサブ前面扉４０とが合体すると、各位置決突部３６が位置決孔４６Ｎに嵌合される。
【００５５】
図２１に示すように、側部装飾部材３５におけるブリッジ部３１Ｄ側の側面からは、突部３５Ａが突出して上縁部カバー３１Ｋの前面に重ねられ、その突部３５Ａの先端から係止爪３５Ｂが前方に突出している。これに対し、図１９に示すように、サブ前面扉４０における垂下突部４６Ｔの後面には、湾曲突部５３の斜め上方位置に係合凹部４６Ｋ，４６Ｋが形成されている。そして、メイン前面扉３１とサブ前面扉４０とが合体すると、係止爪３５Ｂが係合凹部４６Ｋに凹凸係合して、サブ前面扉４０のメイン前面扉３１に対する上方への移動を規制する。
【００５６】
＜メイン前面扉とサブ前面扉との閂機構について＞
図２１に示すように、メイン前面扉３１の右側の側部装飾部材３５の上面には、ピン孔３５Ｐが形成されている。また、図２７に示すように、側部装飾部材３５の内部には、メイン扉主体盤５５の前面から突出した板金製の１対のピン係合片５５Ｔ，５５Ｔが備えられ、それらピン係合片５５Ｔ，５５Ｔにも上記したピン孔３５Ｐが貫通形成されている。これに対し、図１９に示すように、サブ前面扉４０の右端部（図１９における左側の端部）には、メイン前面扉３１のピン孔３５Ｐに挿抜可能な閂ピン４７が備えられている。
【００５７】
図２７に示すように、閂ピン４７は、上下方向に延びたピン本体部４７Ｂの上端から操作部４７Ａが直角曲げされたＬ字形状をなしている。この閂ピン４７を上下動可能に支持するためのサブ扉主体盤５６の前面には、ピン支持部材５７が取り付けられ、そのピン支持部材５７の上下の両端部から前方に張り出した１対のピン支持片５７Ａ，５７Ａの先端部にピン孔５７Ｐ，５７Ｐが形成されている。そして、それらピン孔５７Ｐ，５７Ｐに閂ピン４７のピン本体部４７Ｂが挿通されている。なお、ピン支持片５７Ａ，５７Ａの先端部は、装飾ベース盤４６の後面包囲部４６Ｅに突入していて、閂ピン４７のピン本体部４７Ｂは、装飾ベース盤４６の前方に位置して後面包囲部４６Ｅに受容されている。また、ピン本体部４７Ｂの中間部分には、ワッシャ４７Ｆが固定されて１対のピン支持片５７Ａ，５７Ａの間に配置されると共に、ワッシャ４７Ｆと上側のピン支持部材５７との間に圧縮コイルバネ５８が突っ張り状態にして組み付けられている。これにより、閂ピン４７が上述の通りピン支持部材５７に上下動可能に支持されかつ下方に付勢されている。
【００５８】
さらに、装飾ベース盤４６からは、後方にピン係合片４６Ｇが張り出していて、そのピン係合片４６Ｇが下側のピン支持片５７Ａに対して隙間を空けて下方から対向すると共に、そのピン係合片４６Ｇの先端部には、ピン支持部材５７のピン孔５７Ｐと同軸上にピン孔４６Ｐが形成されている。そして、それらピン孔４６Ｐ，５７Ｐの下方延長上には、装飾ベース盤４６の包囲壁４６Ｚに、ピン挿通用の切欠部４６Ｈが形成されている。
【００５９】
図２６に示すように、サブ扉主体盤５６には、閂ピン４７の操作部４７Ａを受容したガイドスリット５９が形成されている。ガイドスリット５９は、上下方向に延びた縦辺部５９Ａの上端から横辺部５９Ｂが一側方に屈曲したＬ字形状をなしている。また、横辺部５９Ｂのうち下側の内面には、縦辺部５９Ａ寄りの端部から上方に突起５９Ｃが設けられている。
【００６０】
そして、操作部４７Ａがガイドスリット５９の下端部に位置したときに、図２７に示すように、ワッシャ４７Ｆと下側のピン支持片５７Ａとが当接しかつ、閂ピン４７がメイン前面扉３１のピン孔３５Ｐに挿入された状態になる。一方、操作部４７Ａがガイドスリット５９の上端部に位置したときに、図２８に示すように、閂ピン４７の下端部が、サブ前面扉４０内に退避して、下側のピン支持片５７Ａとピン係合片４６Ｇとの中間に位置する。この状態で、操作部４７Ａが突起５９Ｃを乗り越えるように閂ピン４７を回転させて、操作部４７Ａを横辺部５９Ｂ内に移動すると、閂ピン４７が可動範囲の上端位置に保持される。
【００６１】
＜メイン前面扉の回動支持構造について＞
図２に示すように、メイン前面扉３１は、前面枠１４の下側のヒンジ突部１４Ｈと中間ヒンジ片１４Ｌ（図５参照）に回動可能に支持されている。そのために、メイン前面扉３１には、左下端部にヒンジ片３１Ｈ（図１参照）が、メイン前面扉３１の上面左端部からは、可動ヒンジピン３１Ｐが突出している。そして、ヒンジ片３１Ｈに形成されたピン孔（図示せず）に、前面枠１４のヒンジ突部１４Ｈから上方に突出したヒンジピン１３Ｐが嵌合され、可動ヒンジピン３１Ｐが中間ヒンジ片１４Ｌのピン孔に嵌合して、上述の如く回動可能に支持されている。また、可動ヒンジピン３１Ｐは、メイン前面扉３１の内部で上下動可能に支持されると共に上方に付勢されている。そして、メイン前面扉３１の後面左上部に備えた操作バー３１Ｂ（図１０参照）の操作によって可動ヒンジピン３１Ｐをメイン前面扉３１内に没入させて前面枠１４からメイン前面扉３１を外すことができる。
【００６２】
＜サブ前面扉の回動支持構造について＞
図２に示すように、サブ前面扉４０は、遊技盤１１Ｚが有するヒンジ構成部５０Ｘに回動可能に支持されている。図１８に示すように、サブ前面扉４０をヒンジ構成部５０Ｘに回動可能に支持するために、サブ前面扉４０では、サブ扉主体盤５６が上部装飾部材４５より左側方（図１８の右側の側方）に突出していて、その突出部分の先端部から前方に半円形突部６０Ｔが張り出している。また、サブ扉主体盤５６には、半円形突部６０Ｔの円弧の中心とサブ扉主体盤５６の左側面（図１８の右側の側面）との間を連絡しかつ湾曲した形状のシャフト導入路６２が形成されている。そして、シャフト導入路６２の開放端から支持シャフト５１（図１１参照）が受け入れられ、その反対側の閉塞端であるシャフト受容部６１に支持シャフト５１が受容された状態でサブ前面扉４０が支持シャフト５１を中心に回動する。また、支持シャフト５１は、サブ前面扉４０内に備えたシャフト係止機構４０Ｚ（図２９参照）によってシャフト受容部６１内に保持される。
【００６３】
詳細には、図２９に示すように、サブ扉主体盤５６のうち左側端部（図２９における右側端部）の上下の縁部からは、１対のヒンジ片６０，６０が前方に直角曲げされ、それらヒンジ片６０，６０の先端に前記した半円形突部６０Ｔ，６０Ｔが設けられている。また、図３０に示すように、サブ扉主体盤５６の樹脂カバー５６Ｕには、左端部寄り位置で前方にクランク状に屈曲したヒンジカバー部５６Ｃが備えられ、サブ扉主体盤５６の強度部５６Ｖのうち下面湾曲部５６Ｗ（図２９参照）より側方の左サイドベース部５６Ｌとヒンジカバー部５６Ｃとがシャフト係止機構４０Ｚを挟んで対向している。また、ヒンジカバー部５６Ｃの先端部は、半円形突部６０Ｔ，６０Ｔの間に配置され、シャフト受容部６１に受容された支持シャフト５１の前方と側方とを覆うようになっている。
【００６４】
図２９に示すように、シャフト係止機構４０Ｚは、インナーベース４３、シャフト抜止部材４２、支持シャフト４３Ｊ、トーションコイルバネ４４とからなる。インナーベース４３は、ベースプレート４３Ａの上下の縁部から１対のシャフト支持片４３Ｂ，４３Ｂが前方に直角曲げされると共に、それらシャフト支持片４３Ｂ，４３Ｂがベースプレート４３Ａより左側方に張り出し、それら張り出し部分にシャフト支持孔４３Ｃ，４３Ｃが形成された構造をなしている。そして、ベースプレート４３Ａが、左サイドベース部５６Ｌの前面に重ねて固定され、シャフト支持片４３Ｂ，４３Ｂがヒンジ片６０，６０の間に位置して、シャフト支持孔４３Ｃ，４３Ｃがシャフト受容部６１の後方に配置されている。また、支持シャフト４３Ｊは、シャフト支持孔４３Ｃ，４３Ｃに挿通されてシャフト支持片４３Ｂ，４３Ｂの間に差し渡されている。
【００６５】
シャフト抜止部材４２は、レバー本体４２Ａの上下の縁部から左側方（図２９の右側方）に直角曲げされた干渉突片４２Ｂ，４２Ｂの後端部に、シャフト挿通孔４２Ｅ，４２Ｅを貫通形成した構造をなしている。また、レバー本体４２Ａの上下方向の中間部から操作レバー４２Ｔが後方に延設されている。そして、干渉突片４２Ｂ，４２Ｂがヒンジ片６０，６０の間に配置されて、シャフト挿通孔４２Ｅ，４２Ｅに支持シャフト４３Ｊが挿通され、左サイドベース部５６Ｌに形成された縦長のレバー貫通孔５６Ｋを介して、図３０に示すように、操作レバー４２Ｔがサブ扉主体盤５６の後方に突出している。
【００６６】
支持シャフト４３Ｊのうち１対の干渉突片４２Ｂ，４２Ｂの間に挟まれた部分にはトーションコイルバネ４４のコイル部分が挿通されて、そのコイル部分の一端部と他端部とが、レバー貫通孔５６Ｋの開口縁と操作レバー４２Ｔの後部とに当接して、シャフト抜止部材４２を図３０の時計回り方向に付勢している。そして、操作レバー４２Ｔがインナーベース４３におけるベースプレート４３Ａの側面に当接して、操作レバー４２Ｔがサブ扉主体盤５６の後面に対して直交した原点位置（図３０で示した位置）にシャフト抜止部材４２が位置決めされ、干渉突片４２Ｂ，４２Ｂのうちレバー本体４２Ａから離れた側の前端角部がシャフト導入路６２内に張り出した状態になる。また、干渉突片４２Ｂのうちシャフト導入路６２内に張り出す部分の前縁部には、シャフト受容部６１の半円状の内面と略同一の円状に配置される抜止用円弧部４２Ｃが形成されている。さらには、干渉突片４２Ｂのうちシャフト導入路６２の端部開口側を向く側縁部には、緩やかに窪むように湾曲した押込用円弧部４２Ｄが形成されている。
【００６７】
サブ前面扉４０を、ヒンジ構成部５０Ｘに対して取り付けるには、ヒンジ構成部５０Ｘの補強盤６３とサブ前面扉４０の操作レバー４２Ｔとの干渉を避けるために、図２に示すように、サブ前面扉４０の後面をその左側縁部を中心にして遊技盤１１Ｚの前面に対して略３０度以上、開いた状態にして、サブ前面扉４０の左端部をヒンジ構成部５０Ｘにおけるヒンジ片５０Ｈ，５０Ｈの間に挿入して、支持シャフト５１をシャフト導入路６２に受容していく。すると、図３１に示すように支持シャフト５１がシャフト抜止部材４２の押込用円弧部４２Ｄに摺接し、シャフト抜止部材４２が同図の反時計回りに回動してシャフト導入路６２から退避する。
【００６８】
支持シャフト５１が押込用円弧部４２Ｄを通過してシャフト導入路６２の奥部のシャフト受容部６１に受容されると、図３０に示すようにシャフト抜止部材４２が原点位置に復帰し、支持シャフト５１が、シャフト受容部６１の円弧面とシャフト抜止部材４２の抜止用円弧部４２Ｃとに挟まれる。これにより、サブ前面扉４０が支持シャフト５１を中心に回動可能な状態になる。この状態になると、支持シャフト５１がシャフト抜止部材４２に押されても、その押圧力は抜止用円弧部４２Ｃで受け止められてシャフト抜止部材４２の回動半径方向を向き、シャフト抜止部材４２は回動しない。即ち、シャフト抜止部材４２により支持シャフト５１がシャフト受容部６１から外れることが防がれる。また、サブ前面扉４０を遊技盤１１Ｚの前面に重なる閉位置まで回動しても、操作レバー４２Ｔが補強盤６３のレバー受容部６３Ｂ（図１２参照）に受容され、操作レバー４２Ｔと補強盤６３とは干渉しない。
【００６９】
なお、サブ前面扉４０をヒンジ構成部５０Ｘから取り外すには、取り付け時と同様に、サブ前面扉４０の後面をその左側縁部を中心にして遊技盤１１Ｚの前面に対して略３０度以上、傾斜させた状態とし、操作レバー４２Ｔを操作して図３１に示すようにシャフト抜止部材４２をシャフト導入路６２から退避させてから、サブ前面扉４０をヒンジ構成部５０Ｘから離れる方向に移動して支持シャフト５１をシャフト導入路６２から離脱させればよい。
【００７０】
＜遊技盤に対するサブ前面扉の仮係止機構について＞
図３２に示すように、遊技盤１１Ｚを前面枠１４から取り外した状態で、上述の如くサブ前面扉４０を遊技盤１１Ｚのヒンジ構成部５０Ｘに組み付けて閉位置（図３３参照）まで回動すると、遊技盤１１Ｚに備えた前述の仮止突部５２（図１４参照）がサブ前面扉４０の一部と係合して、サブ前面扉４０が閉位置に仮係止される。
【００７１】
詳細には、図２６に示すように、サブ扉主体盤５６には、仮止突部５２に対応して四角形の突部受容孔６５Ａと、その突部受容孔６５Ａから一側方に延びたスライドガイド孔６５Ｂとが形成されている。また、スライドガイド孔６５Ｂは、突部受容孔６５Ａより上下方向の開口幅が小さくなっている。そして、仮止突部５２が突部受容孔６５Ａに突入し、当接突片５２Ｅ，５２Ｅ（図１４参照）がスライドガイド孔６５Ｂの上下の開口縁に突き合わされる。
【００７２】
また、図３４に示すように、サブ扉主体盤５６の前面には、スライドガイド孔６５Ｂの開口縁にブロック保持部材４９が取り付けられ、そのブロック保持部材４９とサブ扉主体盤５６とにより仮係止ブロック４８がスライド可能に支持されている。具体的には、仮係止ブロック４８は、スライドガイド孔６５Ｂを前後に貫通する直方体状のブロック本体部４８Ｈを有し、そのブロック本体部４８Ｈの上面及び下面から摺動突部４８Ｔ，４８Ｔが突出している。また、各摺動突部４８Ｔは、スライドガイド孔６５Ｂの長手方向に延び、その断面はＴ字形になっている。そして、それら摺動突部４８Ｔ，４８Ｔがスライドガイド孔６５Ｂの前側の上下の開口縁とブロック保持部材４９との間に配置されて、仮係止ブロック４８がスライドガイド孔６５Ｂの長手方向にスライド可能に支持されている。
【００７３】
図３５に示すように、ブロック保持部材４９には、突部受容孔６５Ａ側からブロック本体部４８Ｈの前部側面に対向するストッパ壁４９Ｂと、その反対側からブロック本体部４８Ｈの前部側面に対向するバネ当接壁４９Ｃとが備えられ、バネ当接壁４９Ｃからブロック本体部４８Ｈに向かってバネ支持シャフト４９Ｄが突出している。これらに対し、ブロック本体部４８Ｈの前部は、前方とバネ当接壁４９Ｃ側の一側方とに開放した筐体構造になっている。そして、圧縮コイルバネ４９Ｅが、バネ支持シャフト４９Ｄの外側に挿通されかつ、バネ当接壁４９Ｃとブロック本体部４８Ｈの左側壁４８Ａの内面との間に圧縮状態に組み付けられている。これにより、仮係止ブロック４８が突部受容孔６５Ａ側に付勢され、通常は、仮係止ブロック４８は、ブロック本体部４８Ｈとストッパ壁４９Ｂとが当接した原点位置（図３５に示した位置）に配置されている。
【００７４】
ブロック本体部４８Ｈの後部右側面からは操作部４８Ｖが片持ち梁状に延び、その先端から後方に係止突起４８Ｓが突出している。また、ブロック本体部４８Ｈの左側面には、三角突部４８Ｋが備えられている。具体的には、三角突部４８Ｋは、ブロック本体部４８Ｈの左側壁４８Ａを後方に突出させて、その左側壁４８Ａの後端部から斜め左前方に傾斜壁４８Ｂを折り返し、その傾斜壁４８Ｂと左側壁４８Ａとの間を三角リブ４８Ｃにて連絡してなる。そして、サブ前面扉４０を閉位置へと回動する過程で仮止突部５２の先端部が三角突部４８Ｋの傾斜壁４８Ｂに摺接して仮係止ブロック４８を原点位置から右側に移動し、サブ前面扉４０が閉位置に至ると、図３６に示すように、三角突部４８Ｋの左側頂点部分が仮止突部５２内に受容されて、三角突部４８Ｋの前面が仮止突部５２に係合する。このようにして、サブ前面扉４０が遊技盤１１Ｚに対して閉位置に仮係止される。
【００７５】
その仮係止状態で、遊技盤１１Ｚを前面枠１４に組み付けると、図３７に示すように前述の前面枠１４の解除突起１７が突起受容孔５０Ｋに突入して解除突起１７の傾斜面１７Ｂが三角突部４８Ｋの傾斜壁４８Ｂと摺接して、仮係止ブロック４８が仮止突部５２から離れる方向に移動して、三角突部４８Ｋと仮止突部５２との係合が解除される。即ち、遊技盤１１Ｚが前面枠１４に組み付けられると、サブ前面扉４０の遊技盤１１Ｚに対する仮係止が解除されてサブ前面扉４０が回動可能になる。
【００７６】
なお、遊技盤１１Ｚを前面枠１４に組み付けなくても、操作部４８Ｖを操作して三角突部４８Ｋと仮止突部５２との係合を解除することができる。また、サブ前面扉４０の右後面には、ロック機構１５の係合片１５Ｙ（図９参照）が干渉せずに挿抜される干渉回避孔５６Ｅ（図２６参照）が形成されている。これにより、サブ前面扉４０付きの遊技盤１１Ｚを前面枠１４に組み付けたときに、前面扉３０のうちサブ前面扉４０のみが前面枠１４に対する閉状態にロックされることが防がれている。
【００７７】
＜サブ前面扉のサブ扉主体盤に対する上部装飾部材の連結構造について＞
ところで、図３３に示すように、前面枠１４に組み付けられる前の遊技盤１１Ｚにサブ前面扉４０を組み付けかつ閉位置に仮係止したアッシ状態しておくと共に、メイン前面扉３１を前面枠１４に予め回動可能に組み付けて開いた状態にしておき、図３８に示すように、遊技盤１１Ｚを前面枠１４に組み付けると、メイン前面扉３１が、上部装飾部材４５と干渉するために、閉じることができなくなる。この問題を解消するために、図３９に示すように、上部装飾部材４５とサブ扉主体盤５６とがマルチリンク機構７０で連結されて、図２０（Ｂ）に示すように、上部装飾部材４５をサブ扉主体盤５６に対して捲り上げることができるようになっている。なお、上部装飾部材４５をサブ扉主体盤５６に対して回動させるには、図２８に示すように、前述の如くサブ扉主体盤５６に直動可能支持された閂ピン４７を、可動範囲の上端位置に移動しておく必要がある。
【００７８】
マルチリンク機構７０は、サブ前面扉４０における横方向の両端寄り位置の２箇所に配置され、図４１に示すように、サブ扉主体盤５６に固定された第１支持部材７１と装飾ベース盤４６に固定された第２支持部材７２とを、第１リンク７３と第２リンク７４とにより連結してなる。第１支持部材７１は、サブ扉主体盤５６の前面に重ねて固定された固定板部７１Ａの左側縁部から支持板部７１Ｂを前方に曲げ起こした構造をなし、第２支持部材７２は、装飾ベース盤４６の後面に重ねて固定された固定板部７２Ａの右側縁部から支持板部７２Ｂを後方に曲げ起こした構造をなしている。また、図４０に示すように、これら支持板部７１Ｂ，７２Ｂは、共通の鉛直平面内に配置され、サブ扉主体盤５６の前面と装飾ベース盤４６の後面とが平行になる原点位置（図３９参照）で、第２支持部材７２の支持板部７２Ｂの上方に第１支持部材７１の支持板部７１Ｂが位置する。
【００７９】
図４２に示すように、第１支持部材７１の支持板部７１Ｂには、下側支持孔７１Ｃと上側支持孔７１Ｄとが貫通形成され、第２支持部材７２の支持板部７２Ｂにも、下側支持孔７２Ｃと上側支持孔７２Ｄとが貫通形成されている。図３９に示すように、第１支持部材７１の上側支持孔７１Ｄは下側支持孔７１Ｃに対して斜め前方に位置し、原点位置では、第２支持部材７２の上側支持孔７２Ｄも、下側支持孔７２Ｃに対して斜め前方に位置する。また、原点位置では、第２支持部材７２の下側支持孔７２Ｃは、第１支持部材７１の下側支持孔７１Ｃに対する真下に位置し、第２支持部材７２の上側支持孔７２Ｄは、第１支持部材７１の上側支持孔７１Ｄに対する斜め下前方に位置する。そして、図４０に示すように、第１リンク７３が、支持板部７１Ｂ，７２Ｂの右側面に重ねられて、上側支持孔７１Ｄ，７２Ｄにそれぞれ挿通されたリベット７９Ａ，７９Ａが第２リンク７４の両端部の連結孔７３Ａ，７３Ａに挿通されると共に、第２リンク７４が、支持板部７１Ｂ，７２Ｂの左側面に重ねられて、下側支持孔７１Ｃ，７２Ｃにそれぞれ挿通されたリベット７９Ｂ，７９Ｂが第２リンク７４の両端部の連結孔７４Ａ，７４Ａ（図４２参照）に挿通されている。
【００８０】
図４３に示すように、第１支持部材７１の上側支持孔７１Ｄと下側支持孔７１Ｃとの中心間の線分Ｌ１（以下、「第１ベースリンク線分Ｌ１」という）は、第２支持部材７２の上側支持孔７２Ｄと下側支持孔７２Ｃとの中心間の線分Ｌ２（以下、「第２ベースリンク線分Ｌ２」という）の略１／２程度の長さをなしている。また、第１リンク７３の両連結孔７３Ａ，７３Ａの線分Ｌ３（以下、「第１中間リンク線分Ｌ３」という）は、第２リンク７４の両連結孔７４Ａ，７４Ａの中心間の線分Ｌ４（以下、「第２中間リンク線分Ｌ４」という）より僅かに短い。さらに、第２中間リンク線分Ｌ４は、第２ベースリンク線分Ｌ２の略２倍の長さをなしている。
【００８１】
＜非平行リンク機構について＞
上述したようにマルチリンク機構７０は、非平行リンク機構になっているので、上部装飾部材４５は、回転中心を移動させながら回動する。そして、図４３に示すように上部装飾部材４５は、サブ扉主体盤５６の前面に対して装飾ベース盤４６の後面が直角になる退避位置で、第２リンク７４の一端に設けられたストッパ部７４Ｓがサブ扉主体盤５６に当接して位置決めされる。具体的には、マルチリンク機構７０が、仮に平行リンク機構（上記した第１と第２のベースリンク線分Ｌ１，Ｌ２が同じ長さで、第１と第２の中間リンク線分Ｌ３，Ｌ４が同じ長さである機構）であると、上部装飾部材４５は、図３９に示した原点位置から斜め上前方に一定姿勢を保って（即ち、回転せずに）平行移動することになる。これに対し、マルチリンク機構７０は、非平行リンク機構であるので、平行移動の要素と回動移動の要素とを合わせた従来にはない態様の動作で上方に移動していく。
【００８２】
このとき、上部装飾部材４５は、原点位置の近傍の移動し始めは、装飾ベース盤４６（詳細には、装飾ベース盤４６の後面）に略直交する前方への平行移動（詳細には、僅かに斜め上への前方への平行移動）の要素を多く含んだ動作でサブ扉主体盤５６から離間し、途中から回動移動の要素を多く含んだ動作になって装飾ベース盤４６が徐々に水平姿勢に近づいていき、退避位置に接近するに従って、略水平姿勢になった装飾ベース盤４６（詳細には、装飾ベース盤４６の後面）と略平行な後方への平行移動に要素を多く含んだ動作になる。これにより、原点位置でサブ扉主体盤５６の前方に重なった状態の上部装飾部材４５が、退避位置では、図４３に示すように、サブ扉主体盤５６の上方に重なった状態になり、退避位置において上部装飾部材４５がサブ扉主体盤５６の前方に張り出す量を抑えることができると共に、上部装飾部材４５の移動スペースがコンパクトになる。また、マルチリンク機構７０による上部装飾部材４５の動作は、単一不動の回動軸を中心とした単純な回動動作とは異なり、位置に応じて、平行移動の要素を多く含む動作と、回動移動の要素を多く含む動作とに変化するので、上部装飾部材４５を逐一ロックしなくても、単純なモーメント負荷による上部装飾部材４５の回動をマルチリンク機構７０のみで規制することができる。これにより、例えば、退避位置の上部装飾部材４５が自重によって原点位置に戻ることや、さらには、例えば、遊技者が原点位置の上部装飾部材４５に下方から当接しただけで上部装飾部材４５が容易に上方に回動してしまうことを規制することができる。また、原点位置の近傍における上部装飾部材４５の動作には、前後方向への平行移動の要素が多く含まれているので、第１コネクタ３９（図２２（Ａ）参照）と第２コネクタ５４（図１９参照）の挿抜をスムーズに行うことができるという効果も奏する。
【００８３】
＜サブ扉主体盤と上部装飾部材との間のロック構造について＞
上部装飾部材４５は、前述した閂ピン４７とピン孔４６Ｐとの係合（図２７参照）や結合ブロック３３とロック孔４６Ｍとの係合（図２５参照）によってサブ扉主体盤５６に対する原点位置にロックされる。これらに加えて、図４４に示すように第２リンク７４に重ねて組み付けられたロックスライダー７５によっても、上部装飾部材４５を原点位置にロックすることができる。
【００８４】
ロックスライダー７５は、第２リンク７４の左側面に重なる矩形板部７５Ｈを有し、その矩形板部７５Ｈには長孔７５Ｃが形成され、その長孔７５Ｃに通されたリベット７９Ｃが第２リンク７４に形成された取付孔７４Ｃ（図４２参照）に固定されている。また、第２リンク７４の両側縁部からは複数のガイド突部７４Ｅ，７４Ｆが突出していて、矩形板部７５Ｈの両側面に摺接可能に宛がわれている。これらにより、ロックスライダー７５は、第２リンク７４の長手方向への直動のみが許容された状態で支持されている。
【００８５】
矩形板部７５Ｈのうち、上部装飾部材４５が原点位置に配置された状態（図４４の状態）で上部装飾部材４５側に位置する一側縁部からは係止片７５Ｔが延設され、その係止片７５Ｔが第２リンク７４のガイド突部７４Ｅ，７４Ｅに挟まれて、ロックスライダー７５の可動範囲が規制されている。また、係止片７５Ｔとは反対側の矩形板部７５Ｈの一側縁部からは、操作片７５Ａが延設されている。操作片７５Ａは、先端側が上方に屈曲した略Ｌ形構造をなし、その操作片７５Ａの縦辺部分が、後下がりに傾斜した折り曲げ線で側方に折り曲げられて押圧部７５Ｂが形成されている。
【００８６】
操作片７５Ａに対応して、サブ扉主体盤５６には、縦長長方形のロック孔７０Ｘが形成され、上部装飾部材４５が原点位置に配置された状態で、操作片７５Ａの横辺部分がロック孔７０Ｘを前後に貫通し、操作片７５Ａの縦辺部分がサブ扉主体盤５６の後方に位置する。そして、図４４に示すように、ロックスライダー７５が可動範囲の上端の係合位置に配置されると、操作片７５Ａの縦辺部分が、ロック孔７０Ｘの上部開口縁に対向して操作片７５Ａがロック孔７０Ｘの前方に抜けなくなる。つまり、ロックスライダー７５により、上部装飾部材４５が原点位置にロックされる。また、図４５に示すように、ロックスライダー７５が可動範囲の下端寄りの係合解除位置に移動すると、操作片７５Ａの縦辺部分の全体がロック孔７０Ｘに後方から対向し、操作片７５Ａをロック孔７０Ｘの前方に抜くことができるようになる。つまり、ロックスライダー７５による上部装飾部材４５の原点位置へのロックが解除される。
【００８７】
また、ロックスライダー７５を係合位置に付勢するために、図４６に示すように、ロックスライダー７５及び第２リンク７４の各一側縁部には、それぞれバネ係止フック７４Ｇ，７５Ｆが設けられ、それの間に引張コイルバネ７６が架け渡されている。さらに、上部装飾部材４５が原点位置に配置された状態で、ロックスライダー７５を図４４に示した係合位置から図４５に示した係合解除位置に移動したときに、ロックスライダー７５が係合解除位置に仮係止されるようにするために、第２支持部材７２には係合バネ７７が取り付けられている。
【００８８】
図４７に示すように、係合バネ７７は、第２支持部材７２の固定板部７２Ａに重ねた状態に固定されるバネ板材で構成され、そのバネ板材の下端部をロックスライダー７５側に反らせてから前方に折り返してなる三角係止突部７７Ａを備えている。また、第２支持部材７２の固定板部７２Ａには、三角係止突部７７Ａの下辺部分が貫通するスリット７２Ｅが形成されている。そして、図４４に示すように、三角係止突部７７Ａの下辺部分の先端を下方に折り返してなる下面突起７７Ｃが、通常は、スリット７２Ｅの前側開口縁に係止され、固定板部７２Ａからの三角係止突部７７Ａの後方への突出量が一定になっている。また、装飾ベース盤４６には、下面突起７７Ｃが通過可能な貫通孔４６Ｘが形成されている。また、係止片７５Ｔの先端には、前上がりに傾斜した傾斜面７５Ｓが形成されている。
【００８９】
これにより、上部装飾部材４５が原点位置に配置された状態で、ロックスライダー７５を図４４に示した係合位置から図４５に示した係合解除位置に移動すると、その過程で係止片７５Ｔの傾斜面７５Ｓが三角係止突部７７Ａの傾斜部分に摺接して三角係止突部７７Ａが装飾ベース盤４６側に押し込まれる。そして、ロックスライダー７５が係合解除位置に至ると、係止片７５Ｔが三角係止突部７７Ａを通過し、三角係止突部７７Ａが弾性復帰して、図４５に示すように、三角係止突部７７Ａの下面に係止片７５Ｔが係止する。これにより、上述の如く、ロックスライダー７５が係合解除位置に仮係止される。この状態で、上部装飾部材４５を原点位置から移動すると、操作片７５Ａがロック孔７０Ｘから前方に抜けてから係止片７５Ｔが三角係止突部７７Ａから離間し、引張コイルバネ７６の弾発力により、ロックスライダー７５が係合位置に復帰する。
【００９０】
また、上部装飾部材４５を係合解除位置側から原点位置へと移動したときには、押圧部７５Ｂの外面とロック孔７０Ｘの開口縁との摺接によって引張コイルバネ７６に抗して押圧部７５Ｂが係合解除位置側に移動し、上部装飾部材４５が原点位置に至ったところで、押圧部７５Ｂがロック孔７０Ｘを通過してロックスライダー７５が係合位置に復帰して上部装飾部材４５が原点位置にロックされる。
【００９１】
本実施形態のパチンコ遊技機１０の構成に関する説明は以上である。次に、実施形態の作用効果について説明する。遊技機メーカーでは、例えば、予め図３に示すように支持枠１２と、遊技盤１１Ｚと、前面扉３０とに分けて製造しておく。ここで、支持枠１２においては、前面枠１４と外枠１３とを組み付けて閉じておく。また、前面扉３０においては、図１７に示すように、メイン前面扉３１とサブ前面扉４０とにわけておき、メイン前面扉３１の結合ブロック３３，３３は、ロック解除位置（図２４参照）に配置しておく。また、サブ前面扉４０においては、図３９に示すように上部装飾部材４５をサブ扉主体盤５６の原点位置に配置してロックスライダー７５にてロックすると共に、図２６に示すように、閂ピン４７の操作部４７Ａをガイドスリット５９の横辺部５９Ｂに係止しておく。
【００９２】
上記した支持枠１２、遊技盤１１Ｚ等は、以下のようにして組み付けられる。即ち、例えば、支持枠１２に遊技盤１１Ｚを組み付けたものに、メイン前面扉３１を組み付けてからサブ前面扉４０を組み付ける。そして、サブ前面扉４０を後方に回動するかメイン前面扉３１を前方に回動して、サブ前面扉４０の下部をメイン前面扉３１の上部前面に重ね合わせる。すると、図２１に示したメイン前面扉３１の位置決突部３６が図１８に示したサブ前面扉４０の位置決孔４６Ｎに嵌合してメイン前面扉３１とサブ前面扉４０とが位置決めされ、図２１に示した結合ブロック３３の前面突部３３Ｂ，３３Ｂが、図１８に示すように、サブ前面扉４０のロック孔４６Ｍ，４６Ｍに受容され、さらに、図２８に示すように、閂ピン４７の下方にメイン前面扉３１のピン孔３５Ｐが配置される。そこで、閂ピン４７の操作部４７Ａを横辺部５９Ｂ（図２６参照）から外して降下させ、図２７に示すように、メイン前面扉３１のピン孔３５Ｐに挿通させると共に、図２５に示すように結合ブロック３３をロック解除位置からロック位置に移動してサブ前面扉４０の装飾ベース盤４６をメイン前面扉３１の上部前面に重ねた状態に固定する。これらにより、メイン前面扉３１とサブ前面扉４０とが一体になって前面扉３０が一つになる。
【００９３】
また、メイン前面扉３１の上部前面と上部装飾部材４５の後面との間では、第１コネクタ３９と第２コネクタ５４とが結合される。これにより、サブ前面扉４０内の電飾基板とメイン前面扉３１内の電飾基板とが電気接続される。そして、遊技盤１１Ｚの後部の制御基板から下方に延びたハーネスを前面枠１４の下部左前方に引き出し、そのハーネスのコネクタを、メイン前面扉３１の後面の左下部から引き出されたハーネスのコネクタに接続する。これにより、前面扉３０におけるサブ前面扉４０内の電飾基板と、メイン前面扉３１内の電飾基板とが遊技盤１１Ｚの制御基板に接続された状態になる。
【００９４】
最後に、前面扉３０を閉じてパチンコ遊技機１０が完成する。ここで、前面扉３０を閉じる前に結合ブロック３３によるロックが仮に忘れられていたとすると、図２１に示した結合ブロック３３の干渉突片３３Ｄが、図１２に示した遊技盤１１Ｚの干渉リブ１１Ｋと干渉して前面扉３０を閉じることができなくなる。これにより、ロック忘れが防がれる。また、図１には、完成したパチンコ遊技機１０を前方から見た状態が示され、同図では、遊技領域Ｒ１の上部が上部装飾部材４５によって隠れているが、パチンコ遊技機１０の前に座った遊技者は、上部装飾部材４５の下方から遊技領域Ｒ１を見上げることになり、遊技領域Ｒ１の上部まで視認することができる。また、遊技盤１１Ｚのうち遊技領域Ｒ１より上側の領域は、上部装飾部材４５によって覆われ、広く露出することが防がれている。
【００９５】
さて、パチンコ遊技機１０は、遊技ホールに備えた遊技島に外枠１３を固定して設置される。そして、一定期間（例えば、３〜６箇月）に亘って使用されると、パチンコ遊技機１０の遊技盤１１Ｚを新規の遊技盤１１Ｙに交換する、所謂、「盤替え」が行われる。図４８及び図４９には、新規の遊技盤１１Ｙの一例が示され、図５０には、盤替えを終えて、所謂、「新台」となったパチンコ遊技機１０が示されている。以下、盤替え前の遊技盤１１Ｚと新規の遊技盤１１Ｙとを、適宜、「旧遊技盤１１Ｚ」、「新遊技盤１１Ｙ」と記載して区別することとする。
【００９６】
図１２と図４８とに比較して示すように、新遊技盤１１Ｙは、旧遊技盤１１Ｚの遊技盤本体１１と同じ外形の遊技盤本体１１にブラケット５０を組み付け備える。その新遊技盤１１Ｙの遊技盤本体１１には、旧遊技盤１１Ｚとは異なる表示窓１１Ｗが形成され、表示窓１１Ｗの奥側の液晶表示装置には、旧遊技盤１１Ｚとは異なる画像演出が表示されるようになっている。また、新遊技盤１１Ｙの遊技領域Ｒ１には、旧遊技盤１１Ｚと異なる役物等が組み付けられ、その遊技領域Ｒ１を囲むガイドレール１１Ｇは、例えば、旧遊技盤１１Ｚのガイドレール１１Ｇより上側に配置されていて、旧遊技盤１１Ｚの遊技領域Ｒ１より新遊技盤１１Ｙの遊技領域Ｒ１が上側に大きくなっている。
【００９７】
ここで、単にパチンコ遊技機１０の旧遊技盤１１Ｚを新遊技盤１１Ｙに交換すると、新遊技盤１１Ｙにおける遊技領域Ｒ１の上部が前面扉３０によって大きく覆い隠されてしまったり、新遊技盤１１Ｙの遊技の演出内容と前面扉３０とがマッチしなくなるという問題が生じ得る。また、新台となったパチンコ遊技機１０を一見しただけでは（特に、斜め前方から見ただけでは）、新遊技盤１１Ｙに交換されていることに気づかなかったり、気づいてもパチンコ遊技機１０の外観上、新鮮味に欠けるという問題が生じ得る。一方、旧遊技盤１１Ｚの交換と共に前面扉３０も交換する、所謂「新台入替」を行うと、上記した問題は解消されるが、大きな手間と費用が問題になる。
【００９８】
これに対し、本実施形態のパチンコ遊技機１０では、旧遊技盤１１Ｚから新遊技盤１１Ｙへの交換に伴って、前面扉３０のサブ前面扉４０のみを新規のサブ前面扉４０へと交換することができる。その新規のサブ前面扉４０は、上部装飾部材４５の形状以外は、旧遊技盤１１Ｚ用のサブ前面扉４０と同じになっている。具体的には、新規の上部装飾部材４５は、図３３と図４９とに比較して示したように、旧遊技盤１１Ｚ用の上部装飾部材４５と比べて全体の装飾の態様が異なる。また、上部装飾部材４５の下縁部は、旧遊技盤１１Ｚ用の上部装飾部材４５により上方に位置し、新遊技盤１１Ｙの遊技領域Ｒ１の上部の形状に沿った湾曲形状をなしている。さらに、図示しないが、新規の上部装飾部材４５には、例えば、湾曲突部５３（図１９参照）が設けられておらず、上部装飾部材４５の後面下縁部が、メイン前面扉３１のブリッジ部３１Ｄ（図２１参照）の前面に重なるだけの形状になっている。
【００９９】
盤替えは、以下のようにして行われる。遊技機メーカーでは、図４９に示すように、新遊技盤１１Ｙのヒンジ構成部５０Ｘに新規のサブ前面扉４０を連結し、そのサブ前面扉４０を、図３６に示した仮止突部５２と仮係止ブロック４８との係合により、閉位置に仮係止した状態にして、これら新遊技盤１１Ｙとサブ前面扉４０とのアッシ１１Ｘ（以下、これを「新遊技盤アッシ１１Ｘ」という）を遊技機ホールへと出荷する。
【０１００】
一方、遊技機ホールでは、パチンコ遊技機１０から旧遊技盤１１Ｚを取り外すために、前面扉３０を開き、結合ブロック３３をロック解除位置に移動し、閂ピン４７をメイン前面扉３１から引き抜いた状態にしておく。また、旧遊技盤１１Ｚとメイン前面扉３１との間の図示しないコネクタも外しておく。そして、旧遊技盤１１Ｚをサブ前面扉４０と共に前面枠１４から取り外してから、サブ前面扉４０を旧遊技盤１１Ｚに対して仮止突部５２及び仮係止ブロック４８により仮係止させるか、或いは、前面枠１４に保持された状態の旧遊技盤１１Ｚのヒンジ構成部５０Ｘからサブ前面扉４０を外してから、旧遊技盤１１Ｚを前面枠１４から外し、外されたサブ前面扉４０を、旧遊技盤１１Ｚのヒンジ構成部５０Ｘに取り付けて閉じた状態に仮係止しておく。なお、ヒンジ構成部５０Ｘからサブ前面扉４０を外すには、図３１に示したサブ前面扉４０の操作レバー４２Ｔを操作すればよい。また、前面枠１４から取り外した旧遊技盤１１Ｚに対してサブ前面扉４０を仮止突部５２及び仮係止ブロック４８にて閉じた状態に仮係止させておけば、その旧遊技盤１１Ｚを撤去する作業が容易に行うことができる。
【０１０１】
次いで、新遊技盤アッシ１１Ｘを前面枠１４に取り付ける。そのためには、メイン前面扉３１を開き、Ｕ形レバー１６Ｕ（図８参照）を前に倒した状態とし、新遊技盤アッシ１１Ｘの遊技盤本体１１における左側部を右側部より後側にずらした状態にして、係合突部１４Ｔ，１４Ｔと位置決突壁１４Ｖとの間に差し込む。そして、遊技盤本体１１の右側縁部を後方に移動して、位置決突壁１４Ｖに遊技盤本体１１の外縁部を宛がった状態にする。すると、その過程で、遊技盤本体１１の右下部がＵ形レバー１６Ｕ内に受容されてＵ形レバー１６Ｕが起こされると共に、前面枠１４に備えた解除突起１７が新遊技盤アッシ１１Ｘの仮係止ブロック４８と摺接して、図３７に示すように、仮係止ブロック４８と仮止突部５２との係合が解除される。そこで、サブ前面扉４０を開き、そのサブ前面扉４０の後方に隠れていた回動ロック１４Ｋ（図１３参照）を操作して遊技盤本体１１の右上部に係止させる。
【０１０２】
次いで、図４５に示すようにサブ前面扉４０のロックスライダー７５，７５を押し下げて係合解除位置に移動してサブ前面扉４０の上部装飾部材４５を原点位置から上方の退避位置へと回動して移動する（図２０（Ｂ）参照）。そして、メイン前面扉３１がサブ前面扉４０の後方となる位置までメイン前面扉３１又はサブ前面扉４０を回動してから、上部装飾部材４５を原点位置に戻す。すると、ロックスライダー７５，７５が係合位置に弾性復帰して、上部装飾部材４５が原点位置にロックされる。それ以降は、前述した旧遊技盤１１Ｚを有するパチンコ遊技機１０の組み付け作業と同様の作業を行えば、新遊技盤１１Ｙを有する新台としてパチンコ遊技機１０の組み付けが完成する。
【０１０３】
なお、前記した遊技盤１１Ｚから遊技盤１１Ｚへの交換とは逆に、遊技盤１１Ｙから遊技盤１１Ｚへの交換であっても、上記と同様の作業を行えばよい。また、盤替えの際のパチンコ遊技機１０の組み付け作業を例に説明したが、新規にパチンコ遊技機１０を製造する際の組み付け作業に適用してもよい。
【０１０４】
このように本実施形態のパチンコ遊技機１０は、従来にはない機構の前面扉３０を有し、その前面扉３０が、窓部３０Ｗを有するメイン前面扉３１と、メイン前面扉３１より上側のサブ前面扉４０とに分割されているので、盤替えを行う際に、前面扉３０のうちサブ前面扉４０のみを新遊技盤１１Ｙに合わせて交換することができる。これにより、新遊技盤１１Ｙと共に前面扉３０全体を交換する「新台入替」のような多大な手間と費用をかけずに、前面扉３０を新遊技盤１１Ｙに合った新鮮な雰囲気に変更することができる。つまり、このパチンコ遊技機１０によれば、盤替えによって新鮮味が高くかつ手間と費用を抑えた改変を行うことができる。
【０１０５】
しかも、サブ前面扉４０の一部が前面扉３０の窓部３０Ｗに重ねられた構造になっているので、サブ前面扉４０のうち窓部３０Ｗに重なる部分の大きさや形状を変更したり、或いは、窓部３０Ｗに重なる部分をなくす変更を行って、遊技者が視認可能な窓部３０Ｗの大きさや形状を、容易に変更することができる。これにより、新遊技盤１１Ｙにおける遊技領域Ｒ１の大きさや形状を、旧遊技盤１１Ｚの遊技領域Ｒ１用の窓部３０Ｗに合わせる必要がなくなる。つまり、盤替え時に、新遊技盤１１Ｙの遊技領域Ｒ１の大きさや形状を大幅に変更することができ、盤替えにより新鮮味をより一層高くすることできる。
【０１０６】
また、サブ前面扉４０は、前後方向の中間位置で、前側の上部装飾部材４５と後側のサブ扉主体盤５６とに分割され、上部装飾部材４５のみがメイン前面扉３１の前側に重ねられるようになっているので、旧遊技盤１１Ｚのサブ前面扉４０と新遊技盤１１Ｙのサブ前面扉４０との間でサブ扉主体盤５６を同じ構造にして部品の共通化を図ることができる。
【０１０７】
また、遊技盤１１Ｚ，１１Ｙにブラケット５０を備えたことでサブ前面扉４０が取り付けられている。そして、サブ前面扉４０が遊技盤１１Ｚ，１１Ｙに取り付けられているので、盤替え時における遊技ホールに対する搬出入作業を容易に行うことができる。また、遊技ホールにおいて、例えば、相互に対応していない新遊技盤１１Ｙとサブ前面扉４０とを組み合わせて交換してしまったり、サブ前面扉４０を交換し忘れたりする等の不具合の発生を防ぐことができる。しかも、サブ前面扉４０は、遊技盤１１Ｚ，１１Ｙに対して着脱可能になっているので、サブ前面扉４０と遊技盤１１Ｚ，１１Ｙとを一体にした状態で盤替えを行うことも、サブ前面扉４０と遊技盤１１Ｚとを別個に着脱して盤替えを行うことも可能となり、作業者によって容易な方法を選択することができる。
【０１０８】
さらには、サブ前面扉４０が遊技盤１１Ｚ，１１Ｙに取り付けられるにも拘わらず、メイン前面扉３１を開操作するとサブ前面扉４０の上部装飾部材４５と干渉してサブ前面扉４０も開くので、前面扉３０を単に複数に分割してそれらを別々に開操作するものに比べて、開操作を容易に行うことができる。そればかりか、メイン前面扉３１とサブ前面扉４０とは、一体回転可能に連結されて１つの前面扉３０になり、支持枠１２の一側縁部に沿った共通の中心軸回りに回動するので、開閉操作を容易に行うことができる。これにより、球詰まり解消等のメンテナンスを迅速に行うことができる。また、メイン前面扉３１とサブ前面扉４０との連結と同時に、それらに固定されている第１と第２のコネクタ３９，５４が接続されるので、メイン前面扉３１とサブ前面扉４０との連結操作とは別途に、コネクタ接続の作業を行う必要がない。即ち、コネクタ接続の作業を効率良く行うことができる。
【０１０９】
さらには、それら第１コネクタ３９と第２コネクタ５４は、メイン前面扉３１とサブ前面扉４０のうち互いに凹凸係合するブリッジ部３１Ｄと収容溝部４０Ｘの先端面と奥面とに配置されているので（図１８及び図２１参照）、異物が第１及び第２のコネクタ３９，５４に接近することを防ぐことができる。さらには、これら第１及び第２のコネクタ３９，５４は、ドロワーコネクタであるので、第１及び第２のコネクタ３９，５４同士の位置ズレを吸収してスムーズなコネクタ接続が可能になる。その上、第２コネクタ５４は、サブ前面扉４０に上下左右への直動と傾動とが許容されているので、このことによっても、スムーズなコネクタ接続が可能になる。
【０１１０】
さらに、本実施形態のパチンコ遊技機１０の構造によれば、組み付け作業を容易かつ効率良く行うことができる。即ち、遊技盤１１Ｙに対して可動状態にして使用されるサブ前面扉４０が、遊技盤１１Ｙを支持枠１２に組み付ける際には、遊技盤１１Ｙに仮係止されている。これにより、遊技盤１１Ｙの組み付け作業を容易に行うことができる。そして、遊技盤１１Ｙを支持枠１２に組み付けると、支持枠１２の解除突起１７がサブ前面扉４０の仮係止を解除する。つまり、遊技盤１１Ｙを支持枠１２に組み付けてから、別途、仮係止を解除する作業を行わなくても、サブ前面扉４０の仮係止が解除される。これにより、組み付け作業を効率よく行うことができる。
【０１１１】
また、盤替え作業において操作される上部装飾部材４５に関しては、非平行リンク機構であるマルチリンク機構７０にてサブ扉主体盤５６に連結され、平行移動の要素と回動移動の要素とを合わせた従来にはない態様の動作で移動する。即ち、上部装飾部材４５は、原点位置の近傍の移動し始めは、前方への平行移動の要素を多く含んだ動作となり、途中から回動移動の要素を多く含んだ動作になり、その後、後方への平行移動に要素を多く含んだ動作になる。これにより、原点位置でサブ扉主体盤５６の前方に重なった状態の上部装飾部材４５が、最終的には図４３に示すように、サブ扉主体盤５６の上方に重なった状態になって前方に張り出す量を抑えることができると共に、上部装飾部材４５の移動スペースがコンパクトになる。また、上部装飾部材４５を逐一ロックしなくても、単純なモーメント負荷による上部装飾部材４５の回動をマルチリンク機構７０のみで規制することができるという効果も奏する。これにより、例えば、退避位置の上部装飾部材４５が自重によって原点位置に戻ることや、さらには、例えば、遊技者が原点位置の上部装飾部材４５に下方から当接しただけで上部装飾部材４５が容易に上方に回動してしまうことを規制することができる。また、原点位置の近傍における上部装飾部材４５の動作には、前後方向への平行移動の要素が多く含まれているので、第１コネクタ３９（図２２（Ａ）参照）と第２コネクタ５４（図１９参照）の挿抜をスムーズに行うことができるという効果も奏する。
【０１１２】
また、上部装飾部材４５を原点位置にロックするロックスライダー７５がアンロック位置に仮係止する構造になっているので、原点位置にロックされている上部装飾部材４５を退避位置に移動する際には、ロックスライダー７５によるロック解除の操作と、上部装飾部材４５を退避位置に移動する操作との２つの操作を分けて行うことができ、それら２つの操作を同時に行う必要があった従来のものに比べて操作性に優れる。それ故、１つの上部装飾部材４５をロックするための複数のロックスライダー７５を設けることができ、ロックの強度を高めることができる。
【０１１３】
［第２実施形態］
本実施形態のパチンコ遊技機１０Ｖでは、前記第１実施形態で説明したサブ前面扉４０を回動可能に支持する支持シャフト５１（図１１参照）が、図５２に示すように前面枠１４に固定されている。具体的には、前面枠１４の側部において上端のヒンジ突部１４Ｈと中間ヒンジ片１４Ｌとの間には、１対のヒンジ片５０Ｇ，５０Ｇが上下方向で対向した状態に固定されている。また、それらヒンジ片５０Ｇ，５０Ｇの間に支持シャフト５１が差し渡され、その支持シャフト５１が、中間ヒンジ片１４Ｌ及び１４Ｈのピン孔１４Ｐの同軸上に配置されている。さらに、図５３に示すように、第１実施形態で説明したブラケット５０は、遊技盤本体１１から排除されている。
【０１１４】
上記以外の構成は、第１実施形態と同じであり、図１と図５１とに比較して示すように第１実施形態のパチンコ遊技機１０と第２実施形態のパチンコ遊技機１０Ｖとは、前面側から見た形状が略同一になっている。
【０１１５】
［他の実施形態］
本発明は、上記実施形態以外にも、例えば以下に例示するように種々変更して実施することができる。
【０１１６】
（１）前記実施形態では、サブ前面扉４０が遊技盤１１Ｚに取り付けられていたが、サブ前面扉４０は、支持枠１２に取り付けられていてもよい。また、サブ前面扉４０は、鉛直軸を中心に回動可能に支持されていたが、水平軸を中心に回動可能に支持されていてもよく、また、上下又は横方向にスライド可能に支持されていてもよい。
【０１１７】
（２）前記実施形態では、サブ前面扉４０が、メイン前面扉３１に一体回転可能に連結されていたが、サブ前面扉４０がメイン前面扉３１に連結されなくてもよい。その場合、サブ前面扉４０は、閉位置で支持枠１２にロックされるようにようにすればよい。
【０１１８】
（３）前記実施形態では、サブ前面扉４０がサブ扉主体盤５６と上部装飾部材４５とに前後方向で分割されていたが、前後に分割されていなくてもよい。
【０１１９】
（４）前記実施形態では、メイン前面扉３１のうち窓部３０Ｗより前方に突出したブリッジ部３１Ｄ（図２１参照）が、サブ前面扉４０の溝状をなす収容溝部４０Ｘ（図１８参照）に凹凸係合する構成になっていたが、以下の構成であってもよい。例えば、サブ前面扉４０の湾曲突部５３を廃止して、サブ前面扉４０の段付き状の下端部である係合段差部と、メイン前面扉３１のブリッジ部３１Ｄを含む上端部の係合段差部とが凹凸係合する構成であってもよいし、サブ前面扉４０のサブ扉主体盤５６の後面が収容溝部４０Ｘの奥面と同じ位置に配置されて、段付き状の下端部となった係合段差部と、メイン前面扉３１のブリッジ部３１Ｄを含む上端部の係合段差部とが凹凸係合する構成であってもよい。
【０１２０】
（５）前記実施形態では、第１コネクタ３９及び第２コネクタ５４が、メイン前面扉３１とサブ前面扉４０との間に設けられていたが、例えば、役物と遊技盤１１Ｚ，１１Ｙとの間や遊技盤１１Ｚ，１１Ｙと制御基板との間等に設けられていてもよい。
【０１２１】
（６）前記実施形態では、第１コネクタ３９及び第２コネクタ５４が、回動可能に連結されたメイン前面扉３１とサブ前面扉４０との間に設けられていたが、直動可能に連結された部材同士の間に設けられていてもよい。
【０１２２】
（７）前記実施形態では、遊技盤１１Ｙ，１１Ｚに仮係止される部材としてサブ前面扉４０を例示したが、例えば、遊技盤１１Ｙ，１１Ｚに対して可動状態に支持された可動役物であってもよい。
【０１２３】
（８）前記実施形態では、遊技盤１１Ｙ，１１Ｚに対してサブ前面扉４０が回動可能な構成になっていたが、直動可能な構成であってもよい。
【０１２４】
（９）前記実施形態では、サブ前面扉４０の仮係止を解除しても、サブ前面扉４０が遊技盤１１Ｙ，１１Ｚから外れない構成になっていたが、仮係止を解除すると、サブ前面扉４０が遊技盤１１Ｙ，１１Ｚから外れる構成であってもよい。
【０１２５】
（１０）前記実施形態では、上部装飾部材４５がメイン前面扉３１との干渉を回避するために、サブ扉主体盤５６に対して上下に回動する構成となっていたが、上下にスライドする構成であってもよい。また、サブ扉主体盤５６の右側辺を回動中心として左右方向へ回動する構成であってもよい。
【０１２６】
（１１）前記実施形態では、マルチリンク７０は、サブ扉主体盤５６と装飾ベース盤４６とを連結するために用いられていたが、固定部材と駆動役物とを連結するために用いてもよい。
【０１２７】
（１２）図５４に示すように、マルチリンク７０Ｖとして、サブ扉主体盤５６に対して装飾ベース盤４６が、前方に離れる側に直動する第１動作から、上方に直動する第２動作とに変化するように、第１支持部材７１ＶにＬ形開孔７１ＶＡを設け、Ｌ形開孔７１ＶＡに挿通されるシャフト７２ＶＡを第２支持部材７２Ｖに設けた構成としてもよい。
【０１２８】
（１３）図５５で示すように、マルチリンク７０Ｙとして、サブ扉主体盤５６に対して装飾ベース盤４６が、上方に直動する第１動作から、前方にずらし、上側に回動する第２動作とに変化するように、第１支持部材７１Ｖに１対の開孔７１ＹＡ，７１ＹＢを設け、開孔７１ＹＡ,７１ＹＢに挿通されるシャフト７２ＹＡ，７２ＹＢを第２支持部材７２Ｖに設けた構成としてもよい。
【０１２９】
（１４）マルチリンク７０とロックスライダー７５とを分離して設ける構成としてもよい。具体的には、装飾ベース盤４６にロックスライダー７５が直動可能に設けられ、サブ扉主体盤５６にロック孔７０Ｘの下方に係合バネ７７が設けられている。なお、上部装飾部材４５が原点位置に配置されたとき、操作片７５Ａ及び係止片７５Ｔとは、共にサブ扉主体盤５６側に向けて突出し、係合バネ７７はロック孔７０Ｘから離れるに従って、装飾ベース盤４６側に近づくように隆起している。
【０１３０】
（１５）前記実施形態では、前面扉３０が、メイン前面扉３１とサブ前面扉４０とに２分割されていたが、前面扉が３つ以上の複数に分割されていてもよい。例えば、前記第１実施形態のパチンコ遊技機１０において、メイン前面扉３１を窓部３０Ｗの下縁部に沿って更に分割して、その分割面より上側部分と下側部分とを支持枠１２に回動可能に支持したり、前面扉３０を左右方向で分割して右側部分を支持枠１２に固定する等して、前面扉が３つ以上の複数に分割されていてもよい。
【０１３１】
＜付記１＞
前記実施形態で例示したパチンコ機には、以下の第１〜第２２の発明群が含まれていると考えることができる。なお、以下の各発明群の末尾には、発明の構成要素に対応する実施形態上の各部位が示されている。
【０１３２】
（第１の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーと、を備える遊技機において、
前記前面カバーは、前記窓部を有する第１のカバー構成体と、前記第１のカバー構成体より上側の第２のカバー構成体とに分割されている遊技機。
【０１３３】
［発明２］
前記前面カバーは、前面を前面装飾部材により装飾され、
前記第１のカバー構成体と前記第２のカバー構成体とのうち一方の前記カバー構成体の前記前面装飾部材が、他方側の前記カバー構成体の一部に前側から重なっている発明１に従属の遊技機。
【０１３４】
［発明３］
前記第２のカバー構成体の前記前面装飾部材が、前記第１のカバー構成体の前記窓部の上部に前側から重なっている発明２に従属の遊技機。
【０１３５】
［発明４］
前記第１のカバー構成体が前記支持枠に取り付けられた状態で、前記第２のカバー構成体が前記支持枠から分離可能である発明１乃至３の何れか１の発明に従属の遊技機。
【０１３６】
［発明５］
前記第１のカバー構成体と前記第２のカバー構成体とが、前記支持枠の一側辺に沿った共通の回動中心回りに回動可能である発明１乃至４の何れか１の発明に従属の遊技機。
【０１３７】
［発明６］
前記第１のカバー構成体と前記第２のカバー構成体とを一体回転可能に連結する固定機構を備えた発明５に従属の遊技機。
【０１３８】
［第１の発明群の発明の構成要素と実施形態上の各部位との対応関係］
前面カバー：前面扉３０、第１のカバー構成体：メイン前面扉３１、第２のカバー構成体：サブ前面扉４０、固定機構：結合ブロック３３，ロック孔４６Ｍ、干渉部：干渉突片３３Ｄ，干渉リブ１１Ｋ
【０１３９】
（第２の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーと、を備えた遊技機において、
前記前面カバーは、前記支持枠を分担して覆う第１及び第２のカバー構成体に分割され、
前記支持枠に、前記第１のカバー構成体を保持する第１保持部が設けられる一方、
前記遊技盤に、前記第２のカバー構成体を保持する第２保持部が設けられている遊技機。
【０１４０】
［発明２］
前記第１のカバー構成体は、前記窓部を有し、
前記第２のカバー構成体は、前記第１のカバー構成体より上側に位置している発明１に従属の遊技機。
【０１４１】
［発明３］
前記第２のカバー構成体は、前記第２保持部に着脱可能に保持されている発明１又は２に従属の遊技機。
【０１４２】
［発明４］
前記第１保持部に設けられて、前記第１のカバー構成体を、前記支持枠の一側辺に沿った回動中心回りに回動可能に支持する第１の回動支持部と、
前記第２保持部に設けられて、前記第２のカバー構成体を、前記第１のカバー構成体と共通の回動中心回りに回動可能に支持する第２の回動支持部とが備えられている発明１乃至３の何れか１の発明に従属の遊技機。
【０１４３】
［発明５］
前記第１のカバー構成体と前記第２のカバー構成体とを一体回転可能に連結する固定機構を備えた発明４に従属の遊技機。
【０１４４】
［発明６］
前記支持枠又は前記遊技盤と前記固定機構とには、前記固定機構が前記第１のカバー構成体と前記第２のカバー構成体とを連結していない状態で相互に干渉して前記前面カバーが正規位置に配置されることを規制し、前記固定機構が前記第１のカバー構成体と前記第２のカバー構成体とを連結している状態で相互に干渉せずに前記前面カバーが前記正規位置に配置されることを許容する干渉部を備えた発明５に従属の遊技機。
【０１４５】
［第２の発明群の発明の構成要素と実施形態上の各部位との対応関係］
前面カバー：前面扉３０、第１のカバー構成体：メイン前面扉３１、第２のカバー構成体：サブ前面扉４０、第１保持部：ヒンジピン１３Ｐ，中間ヒンジ片１４Ｌ、第２保持部：ヒンジ構成部５０Ｘ、第１の回動支持部：ヒンジピン１３Ｐ，中間ヒンジ片１４Ｌ、第２の回動支持部：ヒンジ構成部５０Ｘ、固定機構：結合ブロック３３，ロック孔４６Ｍ、干渉部：干渉突片３３Ｄ，干渉リブ１１Ｋ
【０１４６】
（第３の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーと、を備える遊技機において、
前記前面カバーは、前記窓部を有する第１のカバー構成体と、前記第１のカバー構成体より上側の第２のカバー構成体とに分割され、
前記第２のカバー構成体を、前記支持枠の一側辺に沿った回動中心回りに回動可能に支持する第２の回動支持部と、
前記第２の回動支持部に設けられて、前記回動中心に沿って延びた支持シャフトと、
前記第２のカバー構成体の一側面に開口する側面開口を有し、前記側面開口から前記支持シャフトを受容するシャフト導入路と、
前記第２のカバー構成体に設けられて、前記シャフト導入路内を移動する前記支持シャフトの移動領域に側方から進退して、前記支持シャフトが前記シャフト導入路の奥部まで進入することは許容し、前記奥部から離脱することは規制するシャフト抜止部材とを備えた遊技機。
【０１４７】
［発明２］
前記シャフト抜止部材は、前記第２のカバー構成体に回動可能に支持されて、前記支持シャフトの移動領域に突入した干渉位置と、前記支持シャフトの移動領域から退避した退避位置との間を往復動すると共に、前記干渉位置へと付勢され、
前記シャフト抜止部材に形成されて、前記シャフト導入路の前記側面開口から奥部側に向かう前記支持シャフトと当接して、その支持シャフトから受ける力を前記シャフト抜止部材の回動半径方向と交差する方向に向ける第１当接面と、
前記シャフト抜止部材に形成されて、前記シャフト導入路の前記奥部から前記側面開口側に向かう前記支持シャフトと当接して、その支持シャフトから受ける力を前記シャフト抜止部材の回動中心へと向ける第２当接面とを、備える発明１に従属の遊技機。
【０１４８】
［発明３］
前記第２のカバー構成体の後面から突出し、前記シャフト抜止部材を前記退避位置に移動操作するために操作レバーと、
前記支持枠又は前記遊技盤に設けられ、前記第２のカバー構成体が前記支持枠側に閉じられたときに、前記操作レバーを受容するレバー受容部とを備えた発明２に従属の遊技機。
【０１４９】
［発明４］
前記支持枠に、前記第１のカバー構成体を保持する第１の保持部が設けられ
前記遊技盤に、前記第２の回動支持部が設けられている発明１乃至３の何れか１の発明に従属の遊技機。
【０１５０】
［発明５］
前記第１の保持部に設けられて、前記第１のカバー構成体を、前記第２のカバー構成体と共通の回動中心回りに回動可能に支持する第１の回動支持部が備えられている発明１乃至４の何れか１の発明に従属の遊技機。
【０１５１】
［発明６］
前記第１のカバー構成体と前記第２のカバー構成体とを一体回転可能に連結する固定機構を備えた発明５に従属の遊技機。
【０１５２】
［発明７］
前記支持枠又は前記遊技盤と前記固定機構とには、前記固定機構が前記第１のカバー構成体と前記第２のカバー構成体とを連結していない状態で相互に干渉して前記前面カバーが正規位置に配置されることを規制し、前記固定機構が前記第１のカバー構成体と前記第２のカバー構成体とを連結している状態で相互に干渉せずに前記前面カバーが前記正規位置に配置されることを許容する干渉部を備えた発明６に従属の遊技機。
【０１５３】
［第３の発明群の発明の構成要素と実施形態上の各部位との対応関係］
前面カバー：前面扉３０、第１のカバー構成体：メイン前面扉３１、第２のカバー構成体：サブ前面扉４０、第１の保持部：ヒンジピン１３Ｐ，中間ヒンジ片１４Ｌ、第１の回動支持部：ヒンジピン１３Ｐ，中間ヒンジ片１４Ｌ、第２の回動支持部：ヒンジ構成部５０Ｘ、固定機構：結合ブロック３３，ロック孔４６Ｍ、干渉部：干渉突片３３Ｄ，干渉リブ１１Ｋ
【０１５４】
（第４の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーと、を備えた遊技機において、
前記前面カバーは、前記支持枠を分担して覆う第１及び第２のカバー構成体に分割され、
前記支持枠に設けられて、前記第１のカバー構成体を保持する第１保持部と、
前記遊技盤に設けられて、前記第２のカバー構成体を保持する第２保持部と、
前記第１保持部及び前記第２保持部にそれぞれ設けられて、前記第１及び第２のカバー構成体を、前記支持枠の一側辺に沿った共通の回動中心回りに回動可能に支持する回動支持部とを備える遊技機。
【０１５５】
［発明２］
前記第２保持部は、前記第２のカバー構成体を着脱可能に保持している発明１に従属の遊技機。
【０１５６】
［発明３］
前記第２保持部に設けられている第２の前記回動支持部は、前記第１及び第２のカバー構成体の前記共通の回動中心に沿って延びた支持シャフトと、前記支持シャフトに回動可能に連結しているシャフト係合部材とを有する発明１又は２に従属の遊技機。
【０１５７】
［発明４］
前記シャフト係合部材には、
前記第２のカバー構成体の一側面に開口する側面開口を有し、前記側面開口から前記支持シャフトを受容するシャフト導入路と、
前記第２のカバー構成体に設けられて、前記シャフト導入路内を移動する前記支持シャフトの移動領域に側方から進退して、前記支持シャフトが前記シャフト導入路の奥部まで進入することは許容し、前記奥部から離脱することは規制するシャフト抜止部材とが備えられている発明３に従属の遊技機。
【０１５８】
［発明５］
前記シャフト抜止部材は、前記第２のカバー構成体に回動可能に支持されて、前記支持シャフトの移動領域に突入した干渉位置と、前記支持シャフトの移動領域から退避した退避位置との間を往復動すると共に、前記干渉位置へと付勢され、
前記シャフト抜止部材に形成されて、前記シャフト導入路の前記側面開口から奥部側に向かう前記支持シャフトと当接して、その支持シャフトから受ける力を前記シャフト抜止部材の回動半径方向と交差する方向に向ける第１当接面と、
前記シャフト抜止部材に形成されて、前記シャフト導入路の前記奥部から前記側面開口側に向かう前記支持シャフトと当接して、その支持シャフトから受ける力を前記シャフト抜止部材の回動中心へと向ける第２当接面とを、備える発明４に従属の遊技機。
【０１５９】
［発明６］
前記第２のカバー構成体の後面から突出し、前記シャフト抜止部材を前記退避位置に移動操作するために操作レバーと、
前記支持枠又は前記遊技盤に設けられ、前記第２のカバー構成体が前記支持枠側に閉じられたときに、前記操作レバーを受容するレバー受容部とを備えた発明５に従属の遊技機。
【０１６０】
［発明７］
前記第１のカバー構成体と前記第２のカバー構成体とを一体回転可能に連結する固定機構を備えた発明１乃至６の何れか１の発明に従属の遊技機。
【０１６１】
［発明８］
前記固定機構が前記第１のカバー構成体と前記第２のカバー構成体とを連結していない状態で相互に干渉して前記前面カバーが正規位置に配置されることを規制し、前記固定機構が前記第１のカバー構成体と前記第２のカバー構成体とを連結している状態で相互に干渉せずに前記前面カバーが前記正規位置に配置されることを許容する干渉部を備えた発明７に従属の遊技機。
【０１６２】
［第４の発明群の発明の構成要素と実施形態上の各部位との対応関係］
前面カバー：前面扉３０、第１のカバー構成体：メイン前面扉３１、第２のカバー構成体：サブ前面扉４０、第１保持部：ヒンジピン１３Ｐ，中間ヒンジ片１４Ｌ、第２保持部：ヒンジ構成部５０Ｘ、第２の回動支持部：ヒンジ構成部５０Ｘ、固定機構：結合ブロック３３，ロック孔４６Ｍ、干渉部：干渉突片３３Ｄ，干渉リブ１１Ｋ
【０１６３】
（第５の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有しかつ前面を前面装飾部材により装飾された前面カバーとを、を備える遊技機において、
前記前面カバーは、前記支持枠を分担して覆う第１及び第２のカバー構成体に分割され、
前記支持枠に設けられて、前記第１のカバー構成体を保持する第１保持部と、
前記遊技盤に設けられて、前記第２のカバー構成体を保持する第２保持部と、が備えられ、
前記第２のカバー構成体の前記前面装飾部材が、前記第１のカバー構成体の一部に前側から重なっている遊技機。
【０１６４】
［発明２］
前記第１保持部には、前記第１のカバー構成体を、前記支持枠の一側辺に沿った回動中心回りに回動可能に支持する第１の回動支持部が備えられ、
前記前面装飾部材を、前記第２のカバー構成体に対して可動状態に連結して、前記第１のカバー構成体の一部に前側から重なる第１位置と、前記第１のカバー構成体の前側から退避する第２位置とに移動可能に支持する可動連結機構とを備える発明１に従属の遊技機。
【０１６５】
［発明３］
前記第１のカバー構成体は、前記窓部を有し、
前記第２のカバー構成体は、前記第１のカバー構成体より上側に位置している発明２に従属の遊技機。
【０１６６】
［発明４］
前記可動連結機構は、前記前面装飾部材を、前記第１のカバー構成体の回動中心と異なる回動中心回りに回動可能となるように前記第２のカバー構成体に連結している発明３に従属の遊技機。
【０１６７】
［発明５］
前記可動連結機構は、前記前面装飾部材を、上下にスライド可能となるように前記第２のカバー構成体に連結している発明３に従属の遊技機。
【０１６８】
［発明６］
前記第２保持部には、前記第２のカバー構成体を、前記第１のカバー構成体と共通の回動中心回りに回動可能に支持する第２の回動支持部が備えられ、
前記第１のカバー構成体と前記第２のカバー構成体とを一体回動可能に結合する結合手段とを有する発明２乃至５の何れか１の発明に従属の遊技機。
【０１６９】
［発明７］
前記結合手段は、
前記第２のカバー構成体に直動可能に支持されて連結位置と連結解除位置との間を移動する閂ピンと、
前記前面装飾部材に形成され、前記閂ピンが前記連結位置に移動したときに挿入されて前記第２のカバー構成体に対して前記前面装飾部材の移動を規制する一方、前記連結解除位置に移動したときに抜ける第１ピン孔と、
前記第１のカバー構成体に形成されて、前記閂ピンが前記連結位置に移動したときに挿入されて前記第２のカバー構成体と前記第１のカバー構成体とを一体回転可能に連結する一方、前記連結解除位置に移動したときに抜ける第２ピン孔と、を備える発明６に従属の遊技機。
【０１７０】
［第５の発明群の発明の構成要素と実施形態上の各部位との対応関係］
前面カバー：前面扉３０、前面装飾部材：前面装飾部材３４，上部装飾部材４５、第１のカバー構成体：メイン前面扉３１、第２のカバー構成体：サブ前面扉４０、第１保持部：ヒンジピン１３Ｐ，中間ヒンジ片１４Ｌ、第２保持部：ヒンジ構成部５０Ｘ、第１の回動支持部：ヒンジピン１３Ｐ，中間ヒンジ片１４Ｌ、可動連結機構：マルチリンク機構７０、第２の回動支持部：ヒンジ構成部５０Ｘ、第１ピン孔：ピン孔４６Ｐ、第２ピン孔：ピン孔３５Ｐ
【０１７１】
（第６の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有しかつ前面を前面装飾部材により装飾された前面カバーとを、を備える遊技機において、
前記前面カバーは、前記支持枠を分担して覆う第１及び第２のカバー構成体に分割され、
前記支持枠に設けられて、前記第１のカバー構成体を、前記支持枠の一側辺に沿った回動中心回りに回動可能に支持する第１の回動支持部と、
前記遊技盤に設けられて、前記第２のカバー構成体を保持する第２保持部と、
前記第２のカバー構成体を前記遊技盤に可動状態に連結し、前記第２のカバー構成体の前記前面装飾部材が、前記第１のカバー構成体の一部に前側から重なる第１位置と、前記第１のカバー構成体の前側から退避する第２位置との間で移動可能となるように支持する可動連結機構を備える遊技機。
【０１７２】
［発明２］
前記第１のカバー構成体は、前記窓部を有し、
前記第２のカバー構成体は、前記第１のカバー構成体より上側に位置している発明１に従属の遊技機。
【０１７３】
［発明３］
前記可動連結機構は、前記第２のカバー構成体を、前記第１のカバー構成体の回動中心と異なる回動中心回りに回動可能となるように前記遊技盤に連結している発明２に従属の遊技機。
【０１７４】
［発明４］
前記可動連結機構は、前記第２のカバー構成体を、上下にスライド可能となるように前記遊技盤に連結している発明２に従属の遊技機。
【０１７５】
［第６の発明群の発明の構成要素と実施形態上の各部位との対応関係］
前面カバー：前面扉３０、第１のカバー構成体：メイン前面扉３１、第２のカバー構成体：サブ前面扉４０、第１の回動支持部：ヒンジピン１３Ｐ，中間ヒンジ片１４Ｌ
【０１７６】
（第７の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーと、を備えた遊技機において、
前記前面カバーは、前記窓部を有する第１のカバー構成体と、前記第１のカバー構成体より上側の第２のカバー構成体とに分割され、
前記第１のカバー構成体及び前記第２のカバー構成体が前記支持枠に取り付けられている遊技機。
【０１７７】
［発明２］
前記第２のカバー構成体は、前記支持枠に着脱可能に取り付けられている発明１に従属の遊技機。
【０１７８】
［発明３］
前記第１及び第２のカバー構成体が、前記支持枠の一側辺に沿った共通の回動中心回りに回動可能に支持されている発明１又は２に従属の遊技機。
【０１７９】
［発明４］
前記第１のカバー構成体と前記第２のカバー構成体とを一体回転可能に連結する固定機構を備えた発明３に従属の遊技機。
【０１８０】
［発明５］
前記固定機構が前記第１のカバー構成体と前記第２のカバー構成体とを連結していない状態で相互に干渉して前記前面カバーが正規位置に配置されることを規制し、前記固定機構が前記第１のカバー構成体と前記第２のカバー構成体とを連結している状態で相互に干渉せずに前記前面カバーが前記正規位置に配置されることを許容する干渉部を備えている発明４に従属の遊技機。
【０１８１】
［第７の発明群の発明の構成要素と実施形態上の各部位との対応関係］
遊技機：１０Ｖ、前面カバー：前面扉３０、第１のカバー構成体：メイン前面扉３１、第２のカバー構成体：サブ前面扉４０、固定機構：結合ブロック３３，ロック孔４６Ｍ、干渉部：干渉突片３３Ｄ，干渉リブ１１Ｋ
【０１８２】
（第８の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーと、を備える遊技機において、
前記前面カバーが、前記窓部を有する第１のカバー構成体と、前記第１のカバー構成体より上側に位置し、前記第１のカバー構成体から分離可能であると共に一部が前記窓部の一部の前側に重ねられる第２のカバー構成体と、に分割されている遊技機。
【０１８３】
［発明２］
前記第２のカバー構成体の下辺部は、前記遊技領域の外縁部に沿った形状をなしている発明１に従属の遊技機。
【０１８４】
［発明３］
前記第１のカバー構成体のうち前記窓部より上側部分には、前記窓部の前面より前方に突出した土手部が設けられ、
前記第２のカバー構成体の後面には、前記土手部を受容する収容溝部が設けられている発明１又は２に従属の遊技機。
【０１８５】
［発明４］
前記第１のカバー構成体に設けられかつ前記遊技盤から延びたケーブルを含む第１電気回路と、
前記第２のカバー構成体に設けられた第２電気回路と、
前記第１のカバー構成体と前記第２のカバー構成体との間で結合されて、前記第１電気回路と前記第２電気回路とを接続する１対のコネクタとを有する発明１乃至３の何れか１の発明に従属の遊技機。
【０１８６】
［発明５］
前記１対のコネクタが、前記第１のカバー構成体と前記第２のカバー構成体とに分けてそれぞれ固定され、
前記第１のカバー構成体と前記第２のカバー構成体との合体及び分離に伴って前記１対のコネクタが結合及び離脱される発明４に従属の遊技機。
【０１８７】
［発明６］
前記第２のカバー構成体は、前記遊技盤に取り付けられている発明１乃至５の何れか１の発明に従属の遊技機。
【０１８８】
［発明７］
前記第２のカバー構成体は、前後方向の中間位置で、前側の装飾部材と後側の支持盤とに分割され、前記装飾部材のみが前記第１のカバー構成体の前側に重ねられる発明１乃至６の何れか１の発明に従属の遊技機。
【０１８９】
［発明８］
前記第１のカバー構成体及び前記第２のカバー構成体は、前記支持枠の一側縁部に沿った共通の架空の中心軸回りに回動可能に支持されると共に、前記第１のカバー構成体と前記第２のカバー構成体とを一体回転可能に連結する固定機構を備えた発明１乃至６の何れか１の発明に従属の遊技機。
【０１９０】
［発明９］
前記支持枠又は前記遊技盤と前記固定機構とには、前記固定機構が前記第１のカバー構成体と前記第２のカバー構成体とを連結していない状態で相互に干渉して前記前面カバーが正規位置に配置されることを規制し、前記固定機構が前記第１のカバー構成体と前記第２のカバー構成体とを連結している状態で相互に干渉せずに前記前面カバーが前記正規位置に配置されることを許容する干渉部を備えた発明８に従属の遊技機。
【０１９１】
［発明１０］
前記第１のカバー構成体を回動可能に支持する第１の回動支持部は、前記支持枠に固定される一方、前記第２のカバー構成体を回動可能に支持する第２の回動支持部は、前記遊技盤に固定されている発明８又は９に従属の遊技機。
【０１９２】
［第８の発明群の発明の構成要素と実施形態上の各部位との対応関係］
第１のカバー構成体：メイン前面扉３１、第２のカバー構成体：サブ前面扉４０、土手部：ブリッジ部３１Ｄ、固定機構：結合ブロック３３とロック孔４６Ｍによる固定、閂ピン４７とピン孔３５Ｐによる固定、干渉部：干渉リブ１１Ｋ
【０１９３】
（第９の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーとを備えた遊技機において、
前記前面カバーは、前記窓部を有する第１のカバー構成体と、前記第１のカバー構成体より上側に位置しかつ前記第１のカバー構成体に対して第１位置と第２位置との間を移動可能な第２のカバー構成体とに分割され、
前記第１のカバー構成体と前記第２のカバー構成体とに取り付けられて、前記第２のカバー構成体が前記第１位置に移動したときに互いに結合する一方、前記第２のカバー構成体が前記第２位置に移動したときに離脱する１対のコネクタとを有する遊技機。
【０１９４】
［発明２］
前記第１のカバー構成体と前記第２のカバー構成体とには、前記第２のカバー構成体が前記第１位置に移動したときに互いに凹凸係合する１対の係合段差部が設けられ、それら１対の係合段差部のうち前記遊技機の外面からずれた位置で互いに対向する１対の対向面に前記１対のコネクタが配置されている発明１に従属の遊技機。
【０１９５】
［発明３］
前記第１のカバー構成体と前記第２のカバー構成体とには、前記第２のカバー構成体が前記第１位置に移動したときに互いに凹凸係合する嵌合凹部と嵌合突部とが設けられ、一方の前記コネクタが前記嵌合凹部の奥面に配置される一方、他方の前記コネクタは、前記嵌合突部の先端面に配置されている発明１に従属の遊技機。
【０１９６】
［発明４］
前記第１のカバー構成体及び前記第２のカバー構成体の一方又は両方には、前記コネクタが配置されている面にコネクタ取付用凹部が形成され、前記コネクタから側方に張り出されたフランジが前記コネクタ取付用凹部の奥面に螺子止めされている発明１乃至３の何れか１の発明に従属の遊技機。
【０１９７】
［発明５］
前記コネクタ取付用凹部は、開口部より奥側が広くなっていて、前記奥面のうち前記開口部の開口縁によって覆われている部分に、前記コネクタの前記フランジを螺子止めする螺子が配置されている発明４に従属の遊技機。
【０１９８】
［発明６］
前記コネクタには、相手側の前記コネクタが嵌合するフード部が備えられ、前記フランジは前記フード部の基端部から側方に張り出し、前記フード部の先端部が前記コネクタ取付用凹部から外側に突出している発明５に従属の遊技機。
【０１９９】
［発明７］
前記第１位置に配置された前記第２のカバー構成体を前記第１のカバー構成体に固定する固定機構を備えている発明１乃至６の何れか１の発明に従属の遊技機。
【０２００】
［発明８］
一方の前記コネクタは、前記コネクタ同士の結合方向の移動を禁止されかつ前記結合方向と交差する方向への傾動又は直動を許容された状態で前記第１のカバー構成体又は前記第２のカバー構成体に取り付けられている発明１乃至７の何れか１の発明に従属の遊技機。
【０２０１】
［発明９］
前記１対のコネクタは、ドロワーコネクタである発明１乃至８の何れか１の発明に従属の遊技機。
【０２０２】
［発明１０］
前記第２のカバー構成体は、前記第１のカバー構成体に対して回動可能に支持されている発明１乃至９の何れか１の発明に従属の遊技機。
【０２０３】
［発明１１］
前記第１のカバー構成体及び前記第２のカバー構成体は、前記支持枠の一側縁部に沿った共通の架空の中心軸回りに回動可能に支持されると共に、前記第２のカバー構成体の一部が前記第１のカバー構成体の一部の前側に重ね合わされるように構成され、
それら第１のカバー構成体と第２のカバー構成体との重ね合わせ面に前記１対のコネクタが配置されている発明１乃至１０の何れか１の発明に従属の遊技機。
【０２０４】
［発明１２］
前記第２のカバー構成体の一部を前記第１のカバー構成体の一部の前側に重ね合わせた状態に連結する固定機構が設けられ、
前記支持枠又は前記遊技盤と前記固定機構とには、前記固定機構が前記第１のカバー構成体と前記第２のカバー構成体とを連結していない状態で相互に干渉して前記前面カバーが正規位置に配置されることを規制し、前記固定機構が前記第１のカバー構成体と前記第２のカバー構成体とを連結している状態で相互に干渉せずに前記前面カバーが前記正規位置に配置されることを許容する干渉部を備えた発明１１に従属の遊技機。
【０２０５】
［発明１３］
前記第１のカバー構成体を回動可能に支持する第１の回動支持部は、前記支持枠に固定される一方、前記第２のカバー構成体を回動可能に支持する第２の回動支持部は、前記遊技盤に固定されている発明１１又は１２に従属の遊技機。
【０２０６】
［発明１４］
前記第２のカバー構成体は、前後方向の中間位置で、前側の装飾部材と後側の支持盤とに分割されて、前記支持盤が、前記架空の中心軸回りに回動可能に支持されると共に、前記装飾部材のみが前記第１のカバー構成体の前側に重ねられ、
前記装飾部材と前記支持盤との間に設けられ、前記装飾部材を前記第１のカバー構成体の前側に重なる原点位置とその原点位置から退避した退避位置とに移動可能に支持する移動支持機構と、
前記装飾部材を前記原点位置にロックするロック部材とを備え、
一方の前記コネクタが、前記装飾部材の後面に配置されている発明１１乃至１３の何れか１の発明に従属の遊技機。
【０２０７】
［発明１５］
前記支持盤に直動可能に支持されて連結位置と連結解除位置との間を移動する閂ピンと、
前記装飾部材に形成され、前記閂ピンが前記連結位置に移動したときに挿入されて前記支持盤に対して前記装飾部材の移動を規制する一方、前記連結解除位置に移動したときに抜ける第１ピン孔と、
前記第１のカバー構成体に形成されて、前記閂ピンが前記連結位置に移動したときに挿入されて前記支持盤と前記第１のカバー構成体とを一体回転可能に連結する一方、前記連結解除位置に移動したときに抜ける第２ピン孔と、を備えた発明１４に従属の遊技機。
【０２０８】
［第９の発明群の発明の構成要素と実施形態上の各部位との対応関係］
第１のカバー構成体：メイン前面扉３１、第２のカバー構成体：サブ前面扉４０、嵌合凹部：収容溝部４０Ｘ、嵌合突部：ブリッジ部３１Ｄ、コネクタ取付用凹部：貫通孔３９Ｕ、凹部５４Ｕ、固定機構：結合ブロック３３とロック孔４６Ｍによる固定、閂ピン４７とピン孔３５Ｐによる固定、移動支持機構：マルチリンク機構７０
【０２０９】
（第１０の発明群）
［発明１］
遊技機の前面を覆い、遊技機内を視認可能とする窓部を有する前面カバーを備えた遊技機において、
前記前面カバーは、前記窓部を有する第１のカバー構成体と、前記第１のカバー構成体より上側に位置する第２のカバー構成体とに分割され、
前記第２のカバー構成体は、支持盤と、前記支持盤の前面を覆う装飾部材とに分割されると共に、前記装飾部材が前記支持盤に対して第１位置と第２位置との間を移動可能に連結され、
前記装飾部材を前記第１位置にロックするロック位置と、そのロックを解除するアンロック位置との間を移動するロック部材と、
前記ロック部材を前記ロック位置に付勢するロック付勢手段と、
前記装飾部材が前記第１位置に配置された状態で前記ロック部材が前記ロック位置から前記アンロック位置に移動すると前記ロック部材に係合して前記ロック部材をアンロック位置に仮係止し、前記装飾部材が前記第１位置から離れると前記ロック部材から離脱して前記仮係止を解除する仮係止部材とを備える遊技機。
【０２１０】
［発明２］
前記支持盤及び前記第１のカバー構成体は、鉛直方向に延びる共通の架空の第１中心軸回りに回動可能に支持され、
前記装飾部材は、前記第１位置で前記支持盤の前面を覆い、その第１位置から前記第２位置に向かうに従って、上方に移動しながら前記第１位置における前記装飾部材の後面が徐々に下方を向くように姿勢が変化する発明１に従属の遊技機。
【０２１１】
［発明３］
１つの前記支持盤を前記第１位置にロックするために、前記ロック部材が複数備えられている発明１又は２に従属の遊技機。
【０２１２】
［発明４］
前記支持盤と前記装飾部材との間を連結する連結部材を備え、
前記ロック部材は、前記支持盤と前記装飾部材と前記連結部材とのうち何れか一の部材に往復動可能に支持され、
前記仮係止部材は、前記支持盤と前記装飾部材と前記連結部材とのうち前記一の部材以外の他の部材に備えられている発明１乃至３の何れか１の発明に従属の遊技機。
【０２１３】
［発明５］
前記連結部材は、前記装飾部材の移動に連動して前記装飾部材及び前記支持盤に対して移動し、
前記ロック部材は、前記連結部材に往復動可能に支持され、
前記支持盤及び前記装飾部材の一方に前記仮係止部材が備えられ、
前記支持盤及び前記装飾部材の他方には、前記ロック部材が前記装飾部材をロックするために係合する被ロック係合部が備えられている発明４に従属の遊技機。
【０２１４】
［発明６］
前記支持盤と前記装飾部材とに設けられて、前記装飾部材が前記第１位置に配置されたときに内部空間を挟んで対向する１対の対向壁を備え、
前記ロック部材は、前記支持盤又は前記支持盤と前記装飾部材との間を連結する連結部材に取り付けられて、前記装飾部材が前記第１位置に配置されたときに前記内部空間に配置されかつ、前記１対の対向壁の対向面に沿ってスライド可能に支持され、
一方の前記対向壁に、前記仮係止部材が設けられ、
他方の前記対向壁に、前記ロック部材が前記装飾部材をロックするために係合する被ロック係合部が設けられている発明１乃至５の何れか１の発明に従属の遊技機。
【０２１５】
［発明７］
前記ロック部材には、前記他方の対向壁に向かって突出し、先端が前記ロック部材のスライド方向の一方側に屈曲したアングル係合部が備えられ、
前記他方の対向壁には、前記装飾部材が前記第１位置に配置された状態で、前記アングル係合部が貫通するロック孔が備えられ、
前記ロック部材が前記ロック位置に配置されているときには、前記アングル係合部が前記ロック孔の開口縁に前記一方の対向壁と反対側から係合し、前記ロック部材が前記アンロック位置に配置されているときには、前記アングル係合部が前記ロック孔の干渉せずに通過可能となる発明６に従属の遊技機。
【０２１６】
［発明８］
前記アングル係合部には、前記ロック部材を前記アンロック位置へと押圧操作するための押圧操作部が設けられている発明７に従属の遊技機。
【０２１７】
［発明９］
前記アングル係合部は、前記装飾部材を前記第２位置から前記第１位置に移動したときに前記ロック孔の開口縁に前記一方の対向壁側から摺接して、前記ロック部材をアンロック位置に案内する摺接ガイド部を兼ねている発明８に従属の遊技機。
【０２１８】
［発明１０］
前記１対の対向壁からそれぞれ突出した１対の支持突片に、前記連結部材としての第１可動リンク及び第２可動リンクのそれぞれの両端部を回動可能に連結してなるマルチリンク機構とを備え、
前記仮係止部材は、前記第１可動リンク又は前記第２可動リンクの一方のスライド可能に支持されている発明６乃至９の何れか１の発明に従属の遊技機。
【０２１９】
［第１０の発明群の発明の構成要素と実施形態上の各部位との対応関係］
前面カバー：前面扉３０、第１のカバー構成体：メイン前面扉３１、第２のカバー構成体：サブ前面扉４０、支持盤：サブ扉主体盤５６、装飾部材：装飾ベース盤４６、ロック部材：ロックスライダー７５、ロック付勢手段：引張コイルバネ７６、仮係止部材：係合バネ７７、アングル係合部：操作片７５Ａ、ロック孔：ロック孔７０Ｘ、押圧操作部，摺接ガイド部：押圧部７５Ｂ
【０２２０】
（第１１の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーと、を備える遊技機において、
前記前面カバーが、前記窓部に沿って湾曲した分割面によって上下に分割されている遊技機。
【０２２１】
［発明２］
前記分割面は、前記窓部より上方に位置し、前記前面カバーが、前記窓部を有する第１のカバー構成体と、第１のカバー構成体より上側の第２のカバー構成体とに分割されている発明１に従属の遊技機。
【０２２２】
［発明３］
前記第１のカバー構成体が前記支持枠に保持され、前記第２のカバー構成体が前記遊技盤に保持されている発明２に従属の遊技機。
【０２２３】
［発明４］
前記前面カバーは、前面を前面装飾部材により装飾され、
前記分割面は、前記前面装飾部材によって前方から覆われている発明１乃至３の何れか１の発明に従属の遊技機。
【０２２４】
［第１１の発明群の発明の構成要素と実施形態上の各部位との対応関係］
前面カバー：前面扉３０、第１のカバー構成体：メイン前面扉３１、第２のカバー構成体：サブ前面扉４０、前面装飾部材：前面装飾部材３４
【０２２５】
（第１２の発明群）
［発明１］
前面に遊技領域を有する遊技盤と、
前記遊技盤が着脱可能に取り付けられている支持枠と、
前記支持枠の前面に重ねて配置され、前記遊技領域を前方から視認可能とする窓部を有する前面カバーと、を備えた遊技機において、
前記前面カバーは、前記窓部を有する第１のカバー構成体と、その第１のカバー構成体より上側の第２のカバー構成体とに分割され、
前記第１及び第２のカバー構成体の一方に設けられて、前記第１のカバー構成体と前記第２のカバー構成体とを合体状態にロックするロック位置と、そのロックを解除するアンロック位置との間を往復移動可能なロック部材と、
前記遊技盤又は前記支持枠に設けられ、前記アンロック位置に配置されている前記ロック部材に干渉して前記前面カバーが前記支持枠の前面の正規位置に重ねられることを規制し、前記ロック位置に配置されている前記ロック部材とは干渉せずに、前記前面カバーが前記支持枠の前面の正規位置に重ねられることを許容する干渉部とを備える遊技機。
【０２２６】
［発明２］
前記第１及び第２のカバー構成体を、前記支持枠の一側辺に沿った共通の回動中心回りに回動可能に支持する回動支持部を備える発明１に従属の遊技機。
【０２２７】
［発明３］
前記第１及び第２のカバー構成体は、前記回動支持部に対して別個に着脱可能になっている発明２に従属の遊技機。
【０２２８】
［第１２の発明群の発明の構成要素と実施形態上の各部位との対応関係］
前面カバー：前面扉３０、第１のカバー構成体：メイン前面扉３１、第２のカバー構成体：サブ前面扉４０、ロック部材：ロックスライダー７５、干渉部：干渉突片３３Ｄ，干渉リブ１１Ｋ
【０２２９】
（第１３の発明群）
［発明１］
ベース部材と、前記ベース部材に対して第１位置と第２位置との間を移動可能に連結機構により連結されかつ通常は前記第１位置に配置される可動部材とを有し、前記可動部材が外力を受けて前記第２位置へと移動する遊技機において、
前記連結機構は、前記可動部材の移動動作が前記第１位置と前記第２位置との間で途中で変化するように構成された遊技機。
【０２３０】
［発明２］
前記可動部材が前記第１位置と前記第２位置との間を移動しながら回動しかつその移動量に対する回転量の値である単位移動回転量が前記第１位置と前記第２位置との間で変化するように前記連結機構が構成されている発明１に従属の遊技機。
【０２３１】
［発明３］
前記可動部材が前記第１位置から離間するに従って前記単位移動回転量が大きくなるように前記可動連結機構が構成されている発明２に従属の遊技機。
【０２３２】
［発明４］
前記可動部材の動作が、前記第１位置と前記第２位置との間の途中で、直線軌跡を描く第１動作と、回転軌跡を描く第２動作との何れか一方から他方へと変化するように前記可動連結機構が構成されている発明１に従属の遊技機。
【０２３３】
［発明５］
前記可動部材の動作が、前記第１位置と前記第２位置との間の途中で、第１の直線方向に移動する第１直線動作と、第２の直線方向に移動する第２直線動作との何れか一方から他方へと変化するように前記可動連結機構が構成されている発明１に従属の遊技機。
【０２３４】
［発明６］
前記ベース部材と前記可動部材とに分けて取り付けられ、前記可動部材が前記第１位置に移動して互いに嵌合する１対の嵌合部が備えられている発明１乃至５の何れか１の発明に従属の遊技機。
【０２３５】
［発明７］
前記１対の嵌合部として、互いに嵌合する第１と第２のコネクタを有する発明６に従属の遊技機。
【０２３６】
［発明８］
遊技機の前面を覆い、遊技機内を視認可能とする窓部を有する前面カバーを備え、
前記前面カバーは、前記窓部を有する第１のカバー構成体と、前記第１のカバー構成体より上側に位置する第２のカバー構成体とに分割され
前記第２のカバー構成体は、前後方向の中間位置で、前記ベース部材としての支持盤と、前記支持盤の前面を覆う前記可動部材としての装飾部材とに分割され、それら支持盤と装飾部材との間に前記連結機構が配置されている発明１乃至７の何れか１の発明に従属の遊技機。
【０２３７】
［発明９］
前記第２のカバー構成体の前記支持盤及び前記第１のカバー構成体は、鉛直方向に延びる共通の架空の第１中心軸回りに回動可能に支持され、
前記装飾部材は、前記第１位置で前記支持盤の前面を覆い、その第１位置から前記第２位置に向かうに従って、上方に移動しながら前記第１位置における前記装飾部材の後面が徐々に下方を向くように前記連結機構によって支持されている発明８に従属の遊技機。
【０２３８】
［第１３の発明群の発明の構成要素と実施形態上の各部位との対応関係］
ベース部材：サブ扉主体盤５６、連結機構：マルチリンク機構７０、可動部材：装飾ベース盤４６、嵌合部：第１コネクタ３９及び第２コネクタ５４、前面カバー：前面扉３０、第１のカバー構成体：メイン前面扉３１、第２のカバー構成体：サブ前面扉４０
【０２３９】
（第１４の発明群）
［発明１］
ベース部材と、前記ベース部材に対して第１位置と第２位置との間を移動可能に連結機構により連結されかつ通常は前記第１位置に配置される可動部材とを有する遊技機において、
前記連結機構は、前記ベース部材に固定された第１固定リンクと、前記可動部材に固定された第２固定リンクとに、第１可動リンク及び第２可動リンクのそれぞれの両端部を回動可能に連結してなる非平行リンク機構であり、
前記第１可動リンクの両回動中心間の線分である第１可動線分の長さをｘ、前記第２可動リンクの両回動中心間の線分である第２可動線分の長さをｙ、前記第１固定リンクの両回動中心間の線分である第１固定線分の長さをａ、前記第２固定リンクの両回動中心間の線分である第２固定線分の長さをｂとすると、
ｙ＞ｘ＞ｂ＞ａ
、を満たしている遊技機。
【０２４０】
［発明２］
前記第１位置では、前記第１可動線分、前記第２可動線分、前記第１固定線分及び前記第２固定線分からなる四角形の１対の対角が共に鋭角であると共に、残りの１対の対角が共に１８０度未満の鈍角となり、前記第２位置では、前記四角形の４つの角部のうち前記第１可動線分と前記第１固定線分との間の角部が鈍角となり、残りの３つの角部が全て鋭角になる発明１に従属の遊技機。
【０２４１】
［発明３］
前記第２位置では、前記第１可動線分と前記第１固定線分との間の角部が１８０度より大きい鈍角になる発明２に従属の遊技機。
【０２４２】
［発明４］
前記第１固定リンクには、前記非平行リンク機構の４つの架空の回動中心軸のうち２つの前記回動中心軸が直交する第１支持突片が備えられる一方、前記第２固定リンクには、残り２つの前記回動中心軸が直交する第２支持突片が備えられ、
前記第１支持突片と前記第２支持突片とが同一平面内に配置され、
前記第１可動リンクと前記第２可動リンクとが、前記第１支持突片及び前記第２支持突片を間に挟んだ配置になっている発明１乃至３の何れか１の発明に従属の遊技機。
【０２４３】
［発明５］
前記可動部材が前記第２位置に配置されたときに、前記ベース部材に前記第１可動リンク又は前記第２可動リンクの一端が当接して位置決めをする発明１乃至４の何れか１の発明に従属の遊技機。
【０２４４】
［発明６］
前記ベース部材と前記可動部材とに分けて取り付けられ、前記可動部材が前記第１位置に移動して互いに嵌合する１対の嵌合部が備えられている発明１乃至５の何れか１の発明に従属の遊技機。
【０２４５】
［発明７］
前記１対の嵌合部として、互いに嵌合する第１と第２のコネクタを有する発明６に従属の遊技機。
【０２４６】
［発明８］
遊技機の前面を覆い、遊技機内を視認可能とする窓部を有する前面カバーを備え、
前記前面カバーは、前記窓部を有する第１のカバー構成体と、前記第１のカバー構成体より上側に位置する第２のカバー構成体とに分割され
前記第２のカバー構成体は、前後方向の中間位置で、前記ベース部材としての支持盤と、前記支持盤の前面を覆う前記可動部材としての装飾部材とに分割され、それら支持盤と装飾部材との間に前記連結機構が配置されている発明１乃至７の何れか１の発明に従属の遊技機。
【０２４７】
［発明９］
前記第２のカバー構成体の前記支持盤及び前記第１のカバー構成体は、鉛直方向に延びる共通の架空の第１中心軸回りに回動可能に支持され、
前記装飾部材は、前記第１位置で前記支持盤の前面を覆い、その第１位置から前記第２位置に向かうに従って、上方に移動しながら前記第１位置における前記装飾部材の後面が徐々に下方を向くように前記連結機構によって支持されている発明８に従属の遊技機。
【０２４８】
［第１４の発明群の発明の構成要素と実施形態上の各部位との対応関係］
ベース部材：サブ扉主体盤５６、連結機構：マルチリンク機構７０、可動部材：装飾ベース盤４６、第１固定リンク：第１支持部材７１、第２固定リンク：第２支持部材７２、第１可動リンク：第１リンク７３、第２可動リンク：第２リンク７４、第１可動線分：第１中間リンク線分Ｌ３、第２可動線分：第２中間リンク線分Ｌ４、第１固定線分：第１ベースリンク線分Ｌ１、第２固定線分：第２ベースリンク線分Ｌ２、第１支持突片：支持板部７１Ｂ、第２支持突片：支持板部７２Ｂ、嵌合部：第１コネクタ３９及び第２コネクタ５４、前面カバー：前面扉３０、第１のカバー構成体：メイン前面扉３１、第２のカバー構成体：サブ前面扉４０
【０２４９】
（第１５の発明群）
［発明１］
ベース部材と、前記ベース部材に対して第１位置と第２位置との間を移動可能に可動連結機構により連結されかつ通常は前記第１位置に配置される可動部材と、前記ベース部材と前記可動部材とにそれぞれ固定され、前記可動部材が前記第１位置に配置された状態で互いに嵌合する１対のコネクタを有する遊技機において、
前記可動部材が、前記第１位置から前記第１位置と前記第２位置との間の途中の第３位置まで移動する方向を前記１対のコネクタの嵌合方向に略一致させると共に、前記可動部材が前記第３位置から前記第２位置に移動させる方向を前記１対のコネクタの嵌合方向と相違させるように前記可動連結機構が構成されている遊技機。
【０２５０】
［発明２］
前記可動部材が前記第１位置と前記第２位置との間を移動しながら回動しかつその移動量に対する回転量の値である単位移動回転量が前記第１位置と前記第２位置との間で変化するように前記可動連結機構が構成されている発明１に従属の遊技機。
【０２５１】
［発明３］
前記可動部材が前記第１位置から離間するに従って前記単位移動回転量が大きくなるように前記可動連結機構が構成されている発明２に従属の遊技機。
【０２５２】
［発明４］
前記可動連結機構は、前記ベース部材に固定された第１固定リンクと、前記可動部材に固定された第２固定リンクとに、第１可動リンク及び第２可動リンクのそれぞれの両端部を回動可能に連結してなる非平行リンク機構であり、
前記第１可動リンクの両回動中心間の線分である第１可動線分の長さをｘ、前記第２可動リンクの両回動中心間の線分である第２可動線分の長さをｙ、前記第１固定リンクの両回動中心間の線分である第１固定線分の長さをａ、前記第２固定リンクの両回動中心間の線分である第２固定線分の長さをｂとすると、
ｙ＞ｘ＞ｂ＞ａ
、を満たしている発明２又は３に従属の遊技機。
【０２５３】
［発明５］
前記第１位置では、前記第１可動線分、前記第２可動線分、前記第１固定線分及び前記第２固定線分からなる四角形の１対の対角が共に鋭角であると共に、残りの１対の対角が共に１８０度未満の鈍角となり、前記第２位置では、前記四角形の４つの角部のうち前記第１可動線分と前記第１固定線分との間の角部が鈍角となり、残りの３つの角部が全て鋭角になる発明４に従属の遊技機。
【０２５４】
［発明６］
前記第２位置では、前記第１可動線分と前記第１固定線分との間の角部が１８０度より大きい鈍角になる発明５に従属の遊技機。
【０２５５】
［発明７］
前記第１固定リンクには、前記非平行リンク機構の４つの架空の回動中心軸のうち２つの前記回動中心軸が直交する第１支持突片が備えられる一方、前記第２固定リンクには、残り２つの前記回動中心軸が直交する第２支持突片が備えられ、
前記第１支持突片と前記第２支持突片とが同一平面内に配置され、
前記第１可動リンクと前記第２可動リンクとが、前記第１支持突片及び前記第２支持突片を間に挟んだ配置になっている発明４乃至６の何れか１の発明に従属の遊技機。
【０２５６】
［発明８］
遊技機の前面を覆い、遊技機内を視認可能とする窓部を有する前面カバーを備え、
前記前面カバーは、前記窓部を有する第１のカバー構成体と、前記第１のカバー構成体より上側に位置する第２のカバー構成体とに分割され
前記第２のカバー構成体は、前後方向の中間位置で、前記ベース部材としての支持盤と、前記支持盤の前面を覆う前記可動部材としての装飾部材とに分割され、それら支持盤と装飾部材との間に前記可動連結機構が配置されている発明１乃至７の何れか１の発明に従属の遊技機。
【０２５７】
［発明９］
前記第２のカバー構成体の前記支持盤及び前記第１のカバー構成体は、鉛直方向に延びる共通の架空の第１中心軸回りに回動可能に支持され、
前記装飾部材は、前記第１位置で前記支持盤の前面を覆い、その第１位置から前記第２位置に向かうに従って、上方に移動しながら前記第１位置における前記装飾部材の後面が徐々に下方を向くように前記可動連結機構によって支持されている発明８に従属の遊技機。
【０２５８】
［発明１０］
前記ベース部材と前記可動部材とには、前記可動部材が前記第１位置に移動したときに互いに凹凸係合する嵌合凹部と嵌合突部とが設けられ、一方の前記コネクタが前記嵌合凹部の奥面に配置される一方、他方の前記コネクタは、前記嵌合突部の先端面に配置されている発明１乃至１９の何れか１の発明に従属の遊技機。
【０２５９】
［発明１１］
前記第１位置に配置された前記可動部材を前記ベース部材に固定する固定機構を備えている発明１乃至１０の何れか１の発明に従属の遊技機。
【０２６０】
［発明１２］
一方の前記コネクタは、前記コネクタ同士の結合方向の移動を禁止されかつ前記結合方向と交差する方向への傾動又は直動を許容された状態で前記ベース部材又は前記可動部材に取り付けられている発明１乃至１１の何れか１の発明に従属の遊技機。
【０２６１】
［発明１３］
前記１対のコネクタは、ドロワーコネクタである発明１乃至１２の何れか１の発明に従属の遊技機。
【０２６２】
［第１５の発明群の発明の構成要素と実施形態上の各部位との対応関係］
ベース部材：サブ扉主体盤５６、連結機構：マルチリンク機構７０、可動部材：装飾ベース盤４６、１対のコネクタ：第１コネクタ３９及び第２コネクタ５４、前面カバー：前面扉３０、第１のカバー構成体：メイン前面扉３１、第２のカバー構成体：サブ前面扉４０、第１固定リンク：第１支持部材７１、第２固定リンク：第２支持部材７２、第１可動リンク：第１リンク７３、第２可動リンク：第２リンク７４、嵌合凹部：受容溝５４Ｂ、嵌合突部：端子支持片３９Ｂ
【０２６３】
（第１６の発明群）
［発明１］
第１部材と、前記第１部材に対して第１位置と第２位置との間を移動可能な第２部材とを備える遊技機であって、
前記第１部材と前記第２部材とに取り付けられて、前記第２部材が前記第１位置に移動したときに互いに結合する一方、前記第２部材が前記第２位置に移動したときに離脱する１対のコネクタとを有する遊技機。
【０２６４】
［発明２］
前記第１部材と前記第２部材とには、前記第２部材が前記第１位置に移動したときに互いに凹凸係合する１対の係合段差部が設けられ、それら１対の係合段差部のうち前記遊技機の外面からずれた位置で互いに対向する１対の対向面に前記１対のコネクタが配置されている発明１に従属の遊技機。
【０２６５】
［発明３］
前記第１部材と前記第２部材とには、前記第２部材が前記第１位置に移動したときに互いに凹凸係合する嵌合凹部と嵌合突部とが設けられ、一方の前記コネクタが前記嵌合凹部の奥面に配置される一方、他方の前記コネクタは、前記嵌合突部の先端面に配置されている発明１に従属の遊技機。
【０２６６】
［発明４］
前記第１部材及び前記第２部材の一方又は両方には、前記コネクタが配置されている面にコネクタ取付用凹部が形成され、前記コネクタから側方に張り出されたフランジが前記コネクタ取付用凹部の奥面に螺子止めされている発明１乃至３の何れか１の発明に従属の遊技機。
【０２６７】
［発明５］
前記コネクタ取付用凹部は、開口部より奥側が広くなっていて、前記奥面のうち前記開口部の開口縁によって覆われている部分に、前記コネクタの前記フランジを螺子止めする螺子が配置されている発明４に従属の遊技機。
【０２６８】
［発明６］
前記コネクタには、相手側の前記コネクタが嵌合するフード部が備えられ、前記フランジは前記フード部の基端部から側方に張り出し、前記フード部の先端部が前記コネクタ取付用凹部から外側に突出している発明５に従属の遊技機。
【０２６９】
［発明７］
前記第１位置に配置された前記第２部材を前記第１部材に固定する固定機構を備えている発明１乃至６の何れか１の発明に従属の遊技機。
【０２７０】
［発明８］
一方の前記コネクタは、前記コネクタ同士の結合方向の移動を禁止されかつ前記結合方向と交差する方向への傾動又は直動を許容された状態で前記第１部材又は前記第２部材に取り付けられている発明１乃至７の何れか１の発明に従属の遊技機。
【０２７１】
［発明９］
前記１対のコネクタは、ドロワーコネクタである発明１乃至８の何れか１の発明に従属の遊技機。
【０２７２】
［発明１０］
前記第２部材は、前記第１部材に対して回動可能に支持されている発明１乃至９の何れか１の発明に従属の遊技機。
【０２７３】
［第１６の発明群の発明の構成要素と実施形態上の各部位との対応関係］
第１部材：メイン前面扉３１、第２部材：サブ前面扉４０、嵌合凹部：収容溝部４０Ｘ、嵌合突部：ブリッジ部３１Ｄ、コネクタ取付用凹部：貫通孔３９Ｕ、凹部５４Ｕ、固定機構：結合ブロック３３とロック孔４６Ｍによる固定、閂ピン４７とピン孔３５Ｐによる固定
【０２７４】
（第１７の発明群）
［発明１］
相互に組み付けられる第１部材と第２部材とを備える遊技機であって、
前記第１部材に付加部材を仮係止する仮係止手段と、
前記第２部材に設けられ、前記第１部材が前記第２部材に組み付けられたときに、前記仮係止手段による前記仮係止を解除する仮係止解除部材とを有する遊技機。
【０２７５】
［発明２］
前記付加部材が前記第１部材に可動状態に連結されている発明１に従属の遊技機。
【０２７６】
［発明３］
前記仮係止手段は、前記第１部材又は前記付加部材の一方の部材に取り付けられて、係合位置と係合解除位置との間を移動可能に支持されている可動係合部材と、前記第１部材又は前記付加部材の他方の部材に設けられ、前記係合位置に位置する前記可動係合部材と係合して前記付加部材を前記第１部材に仮係止する固定係合部材とを備えてなり、
前記仮係止解除部材は、前記第１部材が前記第２部材に組み付けられたときに、前記可動係合部材に摺接又は当接して前記可動係合部材を前記係合解除位置に移動する発明２に従属の遊技機。
【０２７７】
［発明４］
前記可動係合部材を前記係合位置に付勢する付勢手段を備え、
前記付加部材の移動による前記可動係合部材と前記固定係合部材との接離方向である基準方向と交差する方向に前記可動係合部材が往復動可能に支持され、
前記付加部材が可動範囲の一端へと移動する過程で前記可動係合部材が前記固定係合部材に摺接して前記係合解除位置に移動し、前記付加部材が可動範囲の一端に至ると前記可動係合部材が前記係合位置に復帰して前記固定係合部材と係合する発明３に従属の遊技機。
【０２７８】
［発明５］
前記第１部材と前記第２部材との組み付け過程で、前記可動係合部材は、前記基準方向から前記仮係止解除部材に押し付けられて摺接し、前記係合解除位置に移動する発明４に従属の遊技機。
【０２７９】
［発明６］
前記可動係合部材における前記固定係合部材との摺接部分と、前記仮係止解除部材との摺接部分とが共通している発明５に従属の遊技機。
【０２８０】
［発明７］
前記第１部材のうち前記基準方向で前記第２部材に重なる部分に形成された係合解除用貫通孔を備え、
前記固定係合部材は、前記係合解除用貫通孔の開口縁から前記第２部材の反対側に突出すると共に前記基準方向と交差する方向に開口する係合凹部を有し、
前記可動係合部材は、前記付加部材のうち前記係合解除用貫通孔と対向する位置に配置されて、前記係合凹部内に一端部が進退するように直動し、
前記仮係止解除部材は、前記係合解除用貫通孔を介して前記可動係合部材と対向する位置に配置されている発明４乃至６の何れか１の発明に従属の遊技機。
【０２８１】
［発明８］
前記可動係合部材の一端部には、前記第２部材から離れるに従って前記係合凹部に向かうように傾斜した傾斜ガイド面が備えられ、
前記付加部材が可動範囲の一端へと移動する過程で、前記傾斜ガイド面と前記固定係合部材とが摺接して前記可動係合部材が前記係合解除位置に移動する発明７に従属の遊技機。
【０２８２】
［第１７の発明群の発明の構成要素と実施形態上の各部位との対応関係］
第１部材：遊技盤１１Ｙ，１１Ｚ、第２部材：支持枠１２、付加部材：サブ前面扉４０、仮係止解除部材：解除突起１７、可動係合部材：仮係止ブロック４８、固定係合部材：仮止突部５２
【０２８３】
（第１８の発明群）
［発明１］
遊技領域を前面に備える遊技盤と、
前記遊技盤が着脱可能に取り付けられる支持枠とを備える遊技機において、
前記遊技盤に付加部材を仮係止する仮係止手段と、
前記支持枠に設けられ、前記遊技盤が前記支持枠に組み付けられたときに、前記仮係止手段による前記仮係止を解除する仮係止解除部材とを有する遊技機。
【０２８４】
［発明２］
前記付加部材が前記遊技盤に可動状態に連結されている発明１に従属の遊技機。
【０２８５】
［発明３］
前記仮係止手段は、前記遊技盤又は前記付加部材の一方の部材に取り付けられて、係合位置と係合解除位置との間を移動可能に支持されている可動係合部材と、前記遊技盤又は前記付加部材の他方の部材に設けられ、前記係合位置に位置する前記可動係合部材と係合して前記付加部材を前記遊技盤に仮係止する固定係合部材とを備えてなり、
前記仮係止解除部材は、前記遊技盤が前記支持枠に組み付けられたときに、前記可動係合部材に摺接又は当接して前記可動係合部材を前記係合解除位置に移動する発明２に従属の遊技機。
【０２８６】
［発明４］
前記可動係合部材を前記係合位置に付勢する付勢手段を備え、
前記付加部材の移動による前記可動係合部材と前記固定係合部材との接離方向である基準方向と交差する方向に前記可動係合部材が往復動可能に支持され、
前記付加部材が可動範囲の一端へと移動する過程で前記可動係合部材が前記固定係合部材に摺接して前記係合解除位置に移動し、前記付加部材が可動範囲の一端に至ると前記可動係合部材が前記係合位置に復帰して前記固定係合部材と係合する発明３に従属の遊技機。
【０２８７】
［発明５］
前記遊技盤と前記支持枠との組み付け過程で、前記可動係合部材は、前記基準方向から前記仮係止解除部材に押し付けられて摺接し、前記係合解除位置に移動する発明４に従属の遊技機。
【０２８８】
［発明６］
前記可動係合部材における前記固定係合部材との摺接部分と、前記仮係止解除部材との摺接部分とが共通している発明５に従属の遊技機。
【０２８９】
［発明７］
前記遊技盤のうち前記基準方向で前記支持枠に重なる部分に形成された係合解除用貫通孔を備え、
前記固定係合部材は、前記係合解除用貫通孔の開口縁から前記支持枠の反対側に突出すると共に前記基準方向と交差する方向に開口する係合凹部を有し、
前記可動係合部材は、前記付加部材のうち前記係合解除用貫通孔と対向する位置に配置されて、前記係合凹部内に一端部が進退するように直動し、
前記仮係止解除部材は、前記係合解除用貫通孔を介して前記可動係合部材と対向する位置に配置されている発明４乃至６の何れか１の発明に従属の遊技機。
【０２９０】
［発明８］
前記可動係合部材の一端部には、前記支持枠から離れるに従って前記係合凹部に向かうように傾斜した傾斜ガイド面が備えられ、
前記付加部材が可動範囲の一端へと移動する過程で、前記傾斜ガイド面と前記固定係合部材とが摺接して前記可動係合部材が前記係合解除位置に移動する発明７に従属の遊技機。
【０２９１】
［発明９］
前記支持枠の前面を覆い、前記遊技領域を前方から視認可能とする窓部を有し、第１のカバー構成体と第２のカバー構成体とに分割されている前面カバーを備え、
前記第１のカバー構成体が前記支持枠に連結される一方、前記第２のカバー構成体が前記遊技盤に前記付加部材として連結されている発明１乃至８の何れか１の発明に従属の遊技機。
【０２９２】
［発明１０］
前記第１のカバー構成体と前記第２のカバー構成体とが、前記支持枠の一側縁部に沿った架空の中心軸回りに回動可能に支持されている発明９に従属の遊技機。
【０２９３】
［第１８の発明群の発明の構成要素と実施形態上の各部位との対応関係］
付加部材：サブ前面扉４０、仮係止解除部材：解除突起１７、可動係合部材：仮係止ブロック４８、固定係合部材：仮止突部５２
【０２９４】
（第１９発明群）
［発明１］
ベース部材と、前記ベース部材に対して第１位置と第２位置との間を移動可能に連結されている可動部材とを有する遊技機において、
前記可動部材を前記第１位置にロックするロック位置と、そのロックを解除するアンロック位置との間を移動するロック部材と、
前記ロック部材を前記ロック位置に付勢するロック付勢手段と、
前記可動部材が前記第１位置に配置された状態で前記ロック部材が前記ロック位置から前記アンロック位置に移動すると前記ロック部材に係合して前記ロック部材をアンロック位置に仮係止し、前記可動部材が前記第１位置から離れると前記ロック部材から離脱して前記仮係止を解除する仮係止部材とを備える遊技機。
【０２９５】
［発明２］
１つの前記ベース部材を前記第１位置にロックするために、前記ロック部材が複数備えられている発明１に従属の遊技機。
【０２９６】
［発明３］
前記ベース部材と前記可動部材との間を連結する連結部材を備え、
前記ロック部材は、前記ベース部材と前記可動部材と前記連結部材とのうち何れか一の部材に往復動可能に支持され、
前記仮係止部材は、前記ベース部材と前記可動部材と前記連結部材とのうち前記一の部材以外の他の部材に備えられている発明１又は２に従属の遊技機。
【０２９７】
［発明４］
前記連結部材は、前記可動部材の移動に連動して前記可動部材及び前記ベース部材に対して移動し、
前記ロック部材は、前記連結部材に往復動可能に支持され、
前記ベース部材及び前記可動部材の一方に前記仮係止部材が備えられ、
前記ベース部材及び前記可動部材の他方には、前記ロック部材が前記可動部材をロックするために係合する被ロック係合部が備えられている発明３に従属の遊技機。
【０２９８】
［発明５］
前記ベース部材と前記可動部材とに設けられて、前記可動部材が前記第１位置に配置されたときに内部空間を挟んで対向する１対の対向壁を備え、
前記ロック部材は、前記ベース部材又は前記ベース部材と前記可動部材との間を連結する連結部材に取り付けられて、前記可動部材が前記第１位置に配置されたときに前記内部空間に配置されかつ、前記１対の対向壁の対向面に沿ってスライド可能に支持され、
一方の前記対向壁に、前記仮係止部材が設けられ、
他方の前記対向壁に、前記ロック部材が前記可動部材をロックするために係合する被ロック係合部が設けられている発明１乃至４の何れか１の発明に従属の遊技機。
【０２９９】
［発明６］
前記ロック部材には、前記他方の対向壁に向かって突出し、先端が前記ロック部材のスライド方向の一方側に屈曲したアングル係合部が備えられ、
前記他方の対向壁には、前記可動部材が前記第１位置に配置された状態で、前記アングル係合部が貫通するロック孔が備えられ、
前記ロック部材が前記ロック位置に配置されているときには、前記アングル係合部が前記ロック孔の開口縁に前記一方の対向壁と反対側から係合し、前記ロック部材が前記アンロック位置に配置されているときには、前記アングル係合部が前記ロック孔の干渉せずに通過可能となる発明５に従属の遊技機。
【０３００】
［発明７］
前記アングル係合部には、前記ロック部材を前記アンロック位置へと押圧操作するための押圧操作部が設けられている発明６に従属の遊技機。
【０３０１】
［発明８］
前記押圧操作部は、前記可動部材を前記第２位置から前記第１位置に移動したときに前記ロック孔の開口縁に前記一方の対向壁側から摺接して、前記ロック部材をアンロック位置に案内する摺接ガイド部を兼ねている発明７に従属の遊技機。
【０３０２】
［発明９］
前記１対の対向壁からそれぞれ突出した１対の支持突片に、前記連結部材としての第１可動リンク及び第２可動リンクのそれぞれの両端部を回動可能に連結してなるマルチリンク機構とを備え、
前記仮係止部材は、前記第１可動リンク又は前記第２可動リンクの一方のスライド可能に支持されている発明５乃至８の何れか１の発明に従属の遊技機。
【０３０３】
［発明１０］
前記第１可動リンクの両回動中心間の線分である第１可動線分の長さをｘ、前記第２可動リンクの両回動中心間の線分である第２可動線分の長さをｙ、一方の前記支持突片における前記第１可動リンクと前記第２可動リンクの両回動中心間の線分である第１固定線分の長さをａ、他方の前記支持突片における前記第１可動リンクと前記第２可動リンクの両回動中心間の線分である第２固定線分の長さをｂとすると、
ｙ＞ｘ＞ｂ＞ａ
、を満たしている発明９に従属の遊技機。
【０３０４】
［発明１１］
前記第１位置では、前記第１可動線分、前記第２可動線分、前記第１固定線分及び前記第２固定線分からなる四角形の１対の対角が共に鋭角であると共に、残りの１対の対角が共に１８０度未満の鈍角となり、前記第２位置では、前記四角形の４つの角部のうち前記第１可動線分と前記第１固定線分との間の角部が鈍角となり、残りの３つの角部が全て鋭角になる発明１０に従属の遊技機。
【０３０５】
［発明１２］
前記第２位置では、前記第１可動線分と前記第１固定線分との間の角部が１８０度より大きい鈍角になる発明１１に従属の遊技機。
【０３０６】
［第１９の発明群の発明の構成要素と実施形態上の各部位との対応関係］
ベース部材：サブ扉主体盤５６、可動部材：装飾ベース盤４６、ロック部材：ロックスライダー７５、ロック付勢手段：引張コイルバネ７６、仮係止部材：係合バネ７７、アングル係合部：操作片７５Ａ、ロック孔：ロック孔７０Ｘ、押圧操作部，摺接ガイド部：押圧部７５Ｂ
【０３０７】
（第２０の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーとを、を備える遊技機において、
前記前面カバーは、前記支持枠を分担して覆う第１及び第２のカバー構成体とに分割され、
前記第１のカバー構成体及び前記第２のカバー構成体は、別々の支持機構により、それぞれ前記支持枠の前面を覆う閉塞位置と、前記支持枠の前面を開放する開放位置と間を移動可能に支持され、
前記第２のカバー構成体には、前記開放位置に向かう前記第１のカバー構成体に干渉する干渉部位が備えられている遊技機。
【０３０８】
［発明２］
前記支持機構は、前記第１及び第２のカバー構成体を、前記支持枠の一側辺に沿った共通の回動中心回りに回動可能に支持している発明１に従属の遊技機。
【０３０９】
［発明３］
前記第２のカバー構成体の前側に配置された前記干渉部位としての前面装飾部材と、
前記前面装飾部材を、前記第１のカバー構成体の一部に前側から重なる第１位置と、前記第１のカバー構成体の前側から退避する第２位置とに移動可能に支持する可動連結機構とを備える発明２に従属の遊技機。
【０３１０】
［発明４］
前記可動連結機構は、前記前面装飾部材を、前記第１のカバー構成体の回動中心と異なる回動中心回りに回動可能となるように前記第２のカバー構成体に連結している発明３に従属の遊技機。
【０３１１】
［発明５］
前記第１の装飾カバー構成体と前記第２のカバー構成体と前記前面装飾部材とに設けられて、同軸上に並んだピン孔と、それらピン孔に共通して挿入される結合ピンとが備えられている発明４に従属の遊技機。
【０３１２】
［発明６］
前記第１のカバー構成体用の前記支持機構は、前記第１のカバー構成体を前記支持枠の一側辺に沿った共通の回動中心回りに回動可能に支持する一方、
前記第２のカバー構成体用の前記支持機構は、前記第２のカバー構成体を、前記遊技盤に可動状態に連結して、前記第２のカバー構成体が前記第１のカバー構成体の一部に前側から重なる第１位置と、前記第１のカバー構成体の前側から退避する第２位置との間で移動可能に支持する発明１に従属の遊技機。
【０３１３】
［第２０の発明群の発明の構成要素と実施形態上の各部位との対応関係］
前面カバー：前面扉３０、第１のカバー構成体：メイン前面扉３１、第２のカバー構成体：サブ前面扉４０、支持機構：ヒンジピン１３Ｐと中間ヒンジ片１４Ｌ及び、ヒンジ構成部５０Ｘ、干渉部位：垂下突部４６Ｔ、前面装飾部材：上部装飾部材４５、可動連結機構：マルチリンク機構７０
【０３１４】
（第２１の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーと、を備えた遊技機において、
前記前面カバーは、前記支持枠を分担して覆う第１及び第２のカバー構成体に分割され、前記第１及び第２のカバー構成体には、それら第１及び第２のカバー構成体の分割面に沿って延びかつ互いに前後方向で凹凸係合する係合溝と係合突部とが形成されている遊技機。
【０３１５】
［発明２］
前記第１のカバー構成体は、前記窓部を有し、前記第２のカバー構成体は、前記第１のカバー構成体の上方に配置されている発明１に従属の遊技機。
【０３１６】
［発明３］
前記第１のカバー構成体は、前記支持枠に保持され、前記第２のカバー構成体は、前記遊技盤に保持されている発明１に従属の遊技機。
【０３１７】
［発明４］
前記前面カバーは、前面を前面装飾部材により装飾され、
前記第１又は第２の一方のカバー構成体の前面装飾部材が、他方のカバー構成体の前面に重なり、その重なる部分に前記係合溝と前記係合突部とが配置されている発明１乃至３の何れか１の発明に従属の遊技機。
【０３１８】
［第２１の発明群の発明の構成要素と実施形態上の各部位との対応関係］
前面カバー：前面扉３０、第１のカバー構成体：メイン前面扉３１、第２のカバー構成体：サブ前面扉４０、前面装飾部材：前面装飾部材３４，係合溝：収容溝部４０Ｘ、係合突部：ブリッジ部３１Ｄ、
【０３１９】
（第２２の発明群）
［発明１］
前面に遊技領域を有する遊技盤と、
前記遊技盤が着脱可能に取り付けられている支持枠と、
前記支持枠の前面を覆い、前記遊技領域を前方から視認可能とする窓部を有する前面カバーとを備える遊技機において、
前記遊技盤に固定されて前方及び側方に張り出して、前記支持枠の前面に重ねられているブラケットと、
前記ブラケットに支持され、前方から視認可能な付加部材とを備える遊技機。
【０３２０】
［発明２］
前記ブラケットは、１対の平板部の間を段差部で連絡したクランク形状をなし、
一方の前記平板部が前記遊技盤の前面に重ねて固定されて前記段差部が前記遊技盤の前方に張り出しかつ他方の前記平板部が前記支持枠の前面に重ねられている発明１に従属の遊技機。
【０３２１】
［発明３］
前記ブラケットは、金属製である発明１又は２に従属の遊技機。
【０３２２】
［発明４］
前面カバーが複数のカバー構成体に分割されて、それらのうちの何れかの前記カバー構成体が前記付加部材として前記ブラケットに支持されている発明１乃至３の何れか１の発明に従属の遊技機。
【０３２３】
［発明５］
前記カバー構成体が、前記ブラケットに回動可能に支持されている発明４に従属の遊技機。
【０３２４】
［発明６］
互いに重ねられる前記遊技盤及び前記平板部に複数の貫通孔が形成され、
円筒状の複数のナットが、一端部を共通の補強板に固定された状態で、前記複数の貫通孔内に前記遊技盤又は前記平板部の一方側から挿入され、それら貫通孔に前記遊技盤又は前記平板部の他方側から複数のボルトが挿通されて前記ナットに螺合している発明１乃至５の何れか１の発明に従属の遊技機。
【０３２５】
［発明７］
前記ナットの一端寄り位置から側方にフランジが張り出し、
前記補強板は、板金に複数の圧入孔を形成してなり、
前記ナットのうち前記フランジより一端側が前記圧入孔に圧入されている発明７に従属の遊技機。
【０３２６】
［発明８］
前記遊技盤には、前記補強板が重ねられる部分に複数の支柱部が形成されて、それら支柱部の中心に前記貫通孔が形成され、前記フランジが前記支柱部の端面に重ねられている発明７の従属の遊技機。
【０３２７】
［発明９］
前記遊技盤のうち前記複数の支柱部の近傍には、前記支柱部より前記フランジの厚さ分だけ高いリブが形成され、前記リブの先端面に前記補強板が当接している発明８に従属の遊技機。
【０３２８】
［発明１０］
前記遊技盤は、前面に遊技領域を有する樹脂製の遊技盤であり、前記ブラケットは、前記遊技盤の前面に重ねられる板金部品である発明６乃至９の何れか１の発明に従属の遊技機。
［第２２の発明群の発明の構成要素と実施形態上の各部位との対応関係］
前面カバー：前面扉３０、付加部材：サブ前面扉４０、平板部：固定部５０Ｄ
【０３２９】
＜付記２＞
また、上記した第１〜第２２の発明群により、従来の遊技機において生じていた以下の問題や課題を解決することができる。
【０３３０】
（１）上記した第１〜第１２の発明群に関しては以下の通りである。
例えば、特開２０１４−０３３６９３号公報（段落［００１２］及び図１）には、遊技盤が支持枠に着脱可能に取り付けられた遊技機に関する開示がある。その開示されている従来の遊技機としてのパチンコ遊技機は、支持枠の前面を覆う前面カバーが支持枠の一側部に回動可能に連結された構造になっている。しかしながら、上記した構造のパチンコ遊技機が提供されてから久しく経つので、近年では、前面カバーの機構が従来と異なる遊技機の開発が求められている。これに対し、本発明によれば、従来にはない機構の前面カバーを有する遊技機を提供することができる。
【０３３１】
（２）上記した第１３及び第１４の発明群に関しては以下の通りである。
例えば、特開平１１−１４６９６３号公報（段落［００１９］、図８）には、可動部材を備えた遊技機に関する開示がある。その開示されている従来の遊技機としてのパチンコ遊技機は、上記した可動部材に相当する前面扉を回動可能に備えている。しかしながら、上記前面扉のように単純な動作で移動する可動部材を有する遊技機では、可動部材が意図せずに不用意に移動したり、可動部材の移動スペースが大きくなる等の種々の問題が生じることがある。これに対し、本発明によれば、このような問題を解決することができる。
【０３３２】
（３）上記した第１５及び第１６の発明群に関しては以下の通りである。
例えば、特開２０１２−０２４３７７号公報（段落［００５５］及び図７）には、可動状態に連結された１対の部材の間で１対のコネクタが接続される遊技機に関する開示がある。その開示されている従来の遊技機としてのパチンコ遊技機は、例えば、第１の部材としての支持枠に備えたハーネスの末端と、その支持枠にヒンジ連結された第２の部材として前面カバーに備えたハーネスの末端とに１対のコネクタを備えている。そして、この遊技機では、前面カバーを開き、その前面カバーと支持枠とからそれぞれハーネスを引き出した状態にしてコネクタ同士を結合していた。しかしながら、この従来の遊技機の構造では、前面カバーを開いてからコネクタを結合し、その後、前面カバーを閉じるという手間がかかる作業を強いられる。これに対し、本発明によれば、コネクタ接続の作業を効率良く行うことが可能な遊技機を提供することができる。
【０３３３】
（４）上記した第１７及び第１８の発明群に関しては以下の通りである。
例えば、特開２０１４−０３３６９３号公報（段落［００１２］、［００１３］及び図１、図２）には、複数の部材を組み付けてなる遊技機に関する開示がある。具体的には、パチンコ遊技機が従来の遊技機として開示され、そのパチンコ遊技機は、例えば、支持枠、遊技盤及び前面枠等を組み付けてなる。本発明によれば、このような複数の部材を組み付けてなる遊技機の組み付け作業の効率を向上させることができる。
【０３３４】
（５）上記した第１９の発明群に関しては以下の通りである。
例えば、特開２０１４−１６６３１５号公報（段落［０１７２］，図１５〜１７）には、可動部材を所定位置にロックするためのロック部材を備えた遊技機に関する開示がある。その開示されている従来の遊技機は、ロック部材が、可動部材をロックするロック位置と、そのロックを解除するアンロック解除との間を往復動すると共に、付勢手段によってロック位置側に付勢された構造になっている。しかしながら、この従来の遊技機の構造では、ロックされている可動部材を移動する際に、付勢手段の付勢力に抗してロックを解除する操作と、可動部材を所定位置から移動するという操作とを同時に行うという煩雑な作業が必要になる。これに対し、本発明によれば、単純な作業で、可動部材のロック解除とその可動部材の移動とを行うことが可能な遊技機を提供することができる。
【０３３５】
（６）上記した第２０の発明群に関しては以下の通りである。
例えば、特開２００４−０８１６８８号公報（図５）には、遊技盤を支持する支持枠の前面が、窓部を有する前面カバーで覆われている遊技機に関する開示がある。その開示されている従来の遊技機は、前面カバーが複数のカバー構成体に分割されている。しかしながら、この従来の遊技機では、支持枠の前面の全体を開放する際に、複数のカバー構成体のそれぞれを開操作する必要があるので面倒であった。これに対し、本発明は、前面カバーを容易に開操作することが可能になる。
【０３３６】
（７）上記した第２１の発明群に関しては以下の通りである。
例えば、特開２００４−０８１６８８号公報（図５）には、遊技盤を支持する支持枠の前面が、窓部を有する前面カバーで覆われている遊技機に関する開示がある。その開示されている従来の遊技機は、前面カバーが複数に分割された構造になっている。しかしながら、この従来の遊技機の構造では、前面カバーに分割面から異物が挿入されて不正行為が行われることが懸念される。本発明によれば、不正行為を行い難い遊技機を提供することができる。
【０３３７】
（８）上記した第２２の発明群に関しては以下の通りである。
例えば、特開平１１−２４４４９４号公報（請求項１）には、遊技盤を支持する支持枠の前面が窓部を有する前面カバーによって覆われている遊技機に関する開示がある。その開示されている従来の遊技機は、遊技盤を交換する所謂盤替を行う際に、支持枠の下辺部を覆う飾り板を交換することが可能な構造になっている。しかしながら、この従来の遊技機の構造では、盤替が行われる遊技ホールにおいて、相互に対応していない遊技盤と飾り板とを組み合わせて交換してしまったり、飾り板を交換し忘れたりする等の不具合が生じ得る。本発明によれば、このような不具合の発生を抑えることができる。
【符号の説明】
【０３３８】
１０    パチンコ遊技機
１１    遊技盤本体
１１Ｋ    干渉リブ
１１Ｙ，１１Ｚ    遊技盤
１２    支持枠
１４    前面枠
１４Ｈ    ヒンジ突部
１４Ｌ    中間ヒンジ片
１７    解除突起
３０    前面扉
３０Ｗ    窓部
３１    メイン前面扉
３１Ｄ    ブリッジ部
３３    結合ブロック
３３Ｄ    干渉突片
３５Ｐ    ピン孔
３９    第１コネクタ
３９Ａ    フード部
３９Ｕ    貫通孔
４０    サブ前面扉
４０Ｘ    収容溝部
４０Ｚ    シャフト係止機構
４２    シャフト抜止部材
４２Ｃ    抜止用円弧部
４２Ｄ    押込用円弧部
４２Ｔ    操作レバー
４５    上部装飾部材
４６Ｇ    ピン係合片
４６Ｍ    ロック孔
４６Ｐ    ピン孔
４７    閂ピン
４８    仮係止ブロック
４８Ｂ    傾斜壁
４９Ｅ    圧縮コイルバネ
５０Ｋ    突起受容孔
５０Ｘ    ヒンジ構成部
５１    支持シャフト
５２    仮止突部
５４    第２コネクタ
５４Ｕ    凹部
５４Ｆ    フランジ部
５５    メイン扉主体盤
５６    サブ扉主体盤
６１    シャフト受容部
６２    シャフト導入路
６３Ｂ    レバー受容部
７０    マルチリンク機構
７５    ロックスライダー
Ｒ１    遊技領域
【図１】
2020146540.tif 000003
【図２】
2020146540.tif 000004
【図３】
2020146540.tif 000005
【図４】
2020146540.tif 000006
【図５】
2020146540.tif 000007
【図６】
2020146540.tif 000008
【図７】
2020146540.tif 000009
【図８】
2020146540.tif 000010
【図９】
2020146540.tif 000011
【図１０】
2020146540.tif 000012
【図１１】
2020146540.tif 000013
【図１２】
2020146540.tif 000014
【図１３】
2020146540.tif 000015
【図１４】
2020146540.tif 000016
【図１５】
2020146540.tif 000017
【図１６】
2020146540.tif 000018
【図１７】
2020146540.tif 000019
【図１８】
2020146540.tif 000020
【図１９】
2020146540.tif 000021
【図２０】
2020146540.tif 000022
【図２１】
2020146540.tif 000023
【図２２】
2020146540.tif 000024
【図２３】
2020146540.tif 000025
【図２４】
2020146540.tif 000026
【図２５】
2020146540.tif 000027
【図２６】
2020146540.tif 000028
【図２７】
2020146540.tif 000029
【図２８】
2020146540.tif 000030
【図２９】
2020146540.tif 000031
【図３０】
2020146540.tif 000032
【図３１】
2020146540.tif 000033
【図３２】
2020146540.tif 000034
【図３３】
2020146540.tif 000035
【図３４】
2020146540.tif 000036
【図３５】
2020146540.tif 000037
【図３６】
2020146540.tif 000038
【図３７】
2020146540.tif 000039
【図３８】
2020146540.tif 000040
【図３９】
2020146540.tif 000041
【図４０】
2020146540.tif 000042
【図４１】
2020146540.tif 000043
【図４２】
2020146540.tif 000044
【図４３】
2020146540.tif 000045
【図４４】
2020146540.tif 000046
【図４５】
2020146540.tif 000047
【図４６】
2020146540.tif 000048
【図４７】
2020146540.tif 000049
【図４８】
2020146540.tif 000050
【図４９】
2020146540.tif 000051
【図５０】
2020146540.tif 000052
【図５１】
2020146540.tif 000053
【図５２】
2020146540.tif 000054
【図５３】
2020146540.tif 000055
【図５４】
2020146540.tif 000056
【図５５】
2020146540.tif 000057